(57)【要約】【課題】Ａｄｖａｎｃｅｄ  ＥＵＴＲＡ等の方式の移動局装置が送信するＳＲＳについて、複数の帯域幅部分を用いる場合にも、シグナリングの量を少なくすること。【解決手段】基地局装置は、帯域幅コンフィグレーションパラメータ情報を、帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、複数の帯域幅部分について共通のリソース割り当て情報と帯域幅コンフィグレーション表記憶部に記憶されている帯域幅コンフィグレーションパラメータ情報とに基づいて参照信号用帯域の割り当てを行なう送信情報制御部と、リソース割り当て情報を移動局装置に対して送信する送信部と、送信情報制御部によって割り当てられた参照信号用帯域において移動局装置からの上りリンク受信品質測定用参照信号を受信する受信部とを具備する。【選択図】図２
2010178129.tif 000002
【特許請求の範囲】
【請求項１】
移動局装置との間で複数の帯域幅部分を用いて信号の送受信を行なう基地局装置であって、
前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、
複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御部と、
前記リソース割り当て情報を前記移動局装置に対して送信する送信部と、
前記送信情報制御部によって割り当てられた前記参照信号用帯域において前記移動局装置からの上りリンク受信品質測定用参照信号を受信する受信部と、
を具備することを特徴とする基地局装置。
【請求項２】
前記送信情報制御部は、複数の前記帯域幅部分から予め定められた最大上りリンク送信周波数帯域幅を超えない帯域幅を有する帯域幅部分を基準帯域幅部分として選択し、当該基準帯域幅部分の全体の帯域幅と当該基準帯域幅部分における前記参照信号用帯域の帯域幅との比率である帯域幅比を算出し、算出された前記帯域幅比に基づいて前記複数の帯域幅部分の帯域幅に応じた当該帯域幅部分における参照信号用帯域の割り当てを行ない、
前記送信部は、前記リソース割り当て情報として、前記帯域幅比と、前記基準帯域幅部分における参照信号用帯域の割り当てに関する前記帯域幅レベルおよび前記帯域幅インデックスの情報とを送信する、
ことを特徴とする請求項１に記載の基地局装置。
【請求項３】
前記送信情報制御部は、前記複数の帯域幅部分のうち最小の帯域幅を有する帯域幅部分を前記基準帯域幅部分として選択する、
ことを特徴とする請求項２に記載の基地局装置。
【請求項４】
前記送信情報制御部は、前記複数の帯域幅部分から前記最大上りリンク送信周波数帯域幅を超える帯域幅を有する帯域幅部分を選択し、選択された当該帯域幅部分の中に含まれる前記最大上りリンク送信周波数帯域幅を超えない帯域幅の部分を仮想帯域幅部分として選択し、選択された前記仮想帯域幅部分を前記基準帯域幅部分として選択する、
ことを特徴とする、請求項２に記載の基地局装置。
【請求項５】
前記送信情報制御部は、前記複数の帯域幅部分のうち最小の帯域幅を有する帯域幅部分を基準帯域幅部分として選択し、当該基準帯域幅部分について前記参照信号用帯域の割り当てを行ない、前記基準帯域幅部分における参照信号用帯域の割り当てに関する前記帯域幅レベルおよび前記帯域幅インデックスを、前記複数の帯域幅部分のうちの他の帯域幅部分にも適用することによって当該他の帯域幅部分についての前記参照信号用帯域の割り当てを行ない、
前記送信部は、前記リソース割り当て情報として、前記基準帯域幅部分における参照信号用帯域の割り当てに関する前記帯域幅レベルおよび前記帯域幅インデックスを送信する、
ことを特徴とする請求項１に記載の基地局装置。
【請求項６】
前記送信情報制御部は、予め定められた最大上りリンク送信周波数帯域幅を超えない帯域幅を有する複数の帯域幅部分を選択し、これら複数の帯域幅部分に対して、前記帯域幅コンフィグレーション表記憶部に保持されている共通の帯域幅コンフィグレーションパラメータ情報を適用することにより、これら複数の帯域幅部分についての前記参照信号用帯域の割り当てを行ない、
前記送信部は、前記リソース割り当て情報として、前記複数の帯域幅部分についての前記参照信号用帯域の割り当てに用いた当該帯域幅コンフィグレーションパラメータ情報を送信する、
ことを特徴とする、請求項１に記載の基地局装置。
【請求項７】
前記送信情報制御部は、前記複数の帯域幅部分のうち最小の帯域幅を有する帯域幅部分を基準帯域幅部分として選択し、当該基準帯域幅部分について前記参照信号用帯域の割り当てを行ない、前記基準帯域幅部分についての前記参照信号用帯域の割り当てに用いた前記帯域幅コンフィグレーションパラメータ情報を、前記複数の帯域幅部分のうちの他の帯域幅部分にも適用することによって当該他の帯域幅部分についての前記参照信号用帯域の割り当てを行ない、
前記送信部は、前記リソース割り当て情報として、
（ａ）基準帯域幅部分についての前記参照信号用帯域の割り当てに用いた前記帯域幅コンフィグレーションパラメータ情報，
（ｂ）基準帯域幅部分についての前記参照信号用帯域の割り当てに用いた帯域幅インデックスおよび帯域幅レベルと当該基準帯域幅部分に対応する帯域幅区分情報、
の（ａ）又は（ｂ）を送信する、とともに周波数ホッピングを行なう周波数の範囲をシフトするための周波数位置シフト情報をも前記移動局装置に対して送信する、
ことを特徴とする請求項１に記載の基地局装置。
【請求項８】
前記送信情報制御部は、前記複数の帯域幅部分の全ての帯域幅が予め定められた最大上りリンク送信周波数帯域幅を超える場合には、前記複数の帯域幅部分の少なくともいずれか１つを、前記最大上りリンク送信周波数帯域幅を超えない帯域幅を有する複数の帯域幅部分に分割する、
ことを特徴とする請求項１から７までのいずれか一項に記載の基地局装置。
【請求項９】
前記送信情報制御部は、前記最大上りリンク送信周波数帯域幅を超える帯域幅を有する帯域幅部分を、前記最大上りリンク送信周波数帯域幅を超えない所定の仮想帯域幅ずつに分割する、
ことを特徴とする請求項８に記載の基地局装置。
【請求項１０】
前記送信情報制御部は、前記最大上りリンク送信周波数帯域幅を超える帯域幅を有する帯域幅部分を、２以上の所定の整数で順次均等に分割することにより、前記最大上りリンク送信周波数帯域幅を超えない帯域幅を有する複数の帯域幅部分を得る、
ことを特徴とする請求項８に記載の基地局装置。
【請求項１１】
前記送信情報制御部は、前記複数の帯域幅部分に対して、上りリンク受信品質測定用参照信号の周波数ホッピング情報を設定し、
前記送信部は、前記送信情報制御部によって設定された前記周波数ホッピング情報をさらに送信し、
前記受信部は、前記周波数ホッピング情報に応じた前記参照信号用帯域において前記移動局装置からの前記上りリンク受信品質測定用参照信号を受信する、
ことを特徴とする請求項１から１０までのいずれか一項に記載の基地局装置。
【請求項１２】
基地局装置との間で複数の帯域幅部分を用いて信号の送受信を行なう移動局装置であって、
前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、
前記複数の帯域幅部分に共通なリソース割り当て情報を前記基地局装置から受信する受信部と、
前記受信部が受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御部と、
前記参照信号制御部によって割り当てられた前記参照信号用帯域を用いて前記上りリンク受信品質測定用参照信号を基地局装置に対して送信する送信部と、
を具備することを特徴とする移動局装置。
【請求項１３】
前記受信部は、前記リソース割り当て情報として、帯域幅比と、帯域幅レベルと、帯域幅インデックスとの情報を受信し、
前記参照信号制御部は、複数の帯域幅部分から予め定められた最大上りリンク送信周波数帯域幅を超えない帯域幅を有する帯域幅部分を基準帯域幅部分として選択し、当該基準帯域幅部分に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該基準帯域幅部分についての参照信号用帯域の割り当てを行なうとともに、前記基準帯域幅部分以外の帯域幅部分の帯域幅と受信した前記帯域幅比に応じて前記基準帯域幅部分以外の帯域幅部分についての参照信号用帯域の割り当てを行なう、
ことを特徴とする請求項１２に記載の移動局装置。
【請求項１４】
前記参照信号制御部は、前記複数の帯域幅部分のうち最小の帯域幅を有する帯域幅部分を前記基準帯域幅部分として選択する、
ことを特徴とする請求項１３に記載の移動局装置。
【請求項１５】
前記参照信号制御部は、前記複数の帯域幅部分から前記最大上りリンク送信周波数帯域幅を超える帯域幅を有する帯域幅部分を選択し、選択された当該帯域幅部分の中に含まれる前記最大上りリンク送信周波数帯域幅を超えない帯域幅の部分を仮想帯域幅部分として選択し、選択された前記仮想帯域幅部分を前記基準帯域幅部分として選択する、
ことを特徴とする請求項１３に記載の移動局装置。
【請求項１６】
前記受信部は、前記リソース割り当て情報として、帯域幅レベルおよび帯域幅インデックスを受信し、
前記参照信号制御部は、前記複数の帯域幅部分のうち最小の帯域幅を有する帯域幅部分を基準帯域幅部分として選択し、当該基準帯域幅部分に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該基準帯域幅部分についての参照信号用帯域の割り当てを行なうとともに、他の帯域幅部分の各々に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該帯域幅部分についての参照信号用帯域の割り当てを行なう、
ことを特徴とする請求項１２に記載の移動局装置。
【請求項１７】
前記受信部は、前記リソース割り当て情報として、帯域幅コンフィグレーションパラメータ情報を受信し、
前記参照信号制御部は、予め定められた最大上りリンク送信周波数帯域幅を超えない帯域幅を有する複数の帯域幅部分を選択し、これら複数の帯域幅部分の各々に対して、受信した前記帯域幅コンフィグレーションパラメータ情報をそのまま適用することにより、各帯域幅部分についての参照信号用帯域の割り当てを行なう、
ことを特徴とする請求項１２に記載の移動局装置。
【請求項１８】
前記受信部は、前記リソース割り当て情報として、
（ａ）帯域幅コンフィグレーションパラメータ情報，
（ｂ）帯域幅インデックスと帯域幅レベルと帯域幅区分情報との組み合わせ、
の（ａ）又は（ｂ）を受信し、
前記受信部は、さらに、周波数ホッピングを行なう周波数の範囲をシフトするための周波数位置シフト情報を前記基地局装置から受信し、
前記参照信号制御部は、
前記受信部が前記（ａ）を受信した場合には、受信した前記帯域幅コンフィグレーションパラメータ情報を複数の帯域幅部分の各々に適用することによって各帯域幅部分についての参照信号用帯域の割り当てを行ない、
前記受信部が前記（ｂ）を受信した場合には、受信した前記帯域幅インデックスと前記帯域幅レベルと前記帯域幅区分情報とを用いて前記帯域幅コンフィグレーション表記憶部から読み出した前記帯域幅コンフィグレーションパラメータ情報によって前記複数の帯域幅部分の各々についての参照信号用帯域の割り当てを行ない、
さらに前記受信部が受信した周波数位置シフト情報に基づいて、周波数ホッピングを行なう周波数の範囲を帯域幅部分内においてシフトさせる、
ことを特徴とする請求項１２に記載の移動局装置。
【請求項１９】
前記受信部は、基地局装置側から上りリンク受信品質測定用参照信号の周波数ホッピング情報を受信し、
前記参照信号制御部は、前記複数の帯域幅部分に対して前記周波数ホッピング情報を設定し、
前記送信部は、前記周波数ホッピング情報に応じた前記参照信号用帯域を用いて前記上りリンク受信品質測定用参照信号を送信する、
ことを特徴とする請求項１２から１８までのいずれか一項に記載の移動局装置。
【請求項２０】
基地局装置と移動局装置との間で複数の帯域幅部分を用いて信号の送受信を行なう無線通信システムにおける参照信号送信方法であって、
前記基地局装置および前記移動局装置の双方に共通の帯域幅コンフィグレーションパラメータ情報として、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて、前記基地局装置および前記移動局装置それぞれの帯域幅コンフィグレーション表記憶部に予め保持しておき、
前記基地局装置において、複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御過程と、
前記基地局装置において、前記リソース割り当て情報を前記移動局装置に対して送信する割り当て情報送信過程と、
前記移動局装置において、前記複数の帯域幅部分に共通なリソース割り当て情報を前記基地局装置から受信する割り当て情報受信過程と、
前記移動局装置において、前記割り当て情報受信過程で受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御過程と、
前記移動局装置において、前記参照信号制御過程で割り当てられた前記参照信号用帯域を用いて前記上りリンク受信品質測定用参照信号を基地局装置に対して送信する参照信号送信過程と、
前記基地局装置において、前記送信情報制御過程で割り当てられた前記参照信号用帯域において前記移動局装置からの上りリンク受信品質測定用参照信号を受信する参照信号受信過程と、
を含むことを特徴とする参照信号送信方法。
【請求項２１】
基地局装置と移動局装置とを含んで構成され、前記基地局装置と前記移動局装置との間で複数の帯域幅部分を用いて信号の送受信を行なう無線通信システムであって、
前記基地局装置は、
前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、
複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御部と、
前記リソース割り当て情報を前記移動局装置に対して送信する割り当て情報送信部と、
前記送信情報制御部によって割り当てられた前記参照信号用帯域において前記移動局装置からの上りリンク受信品質測定用参照信号を受信する参照信号受信部と、
を具備し、
前記移動局装置は、
前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、
前記複数の帯域幅部分に共通なリソース割り当て情報を前記基地局装置から受信する割り当て情報受信部と、
前記割り当て情報受信部が受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御部と、
前記参照信号制御部によって割り当てられた前記参照信号用帯域を用いて前記上りリンク受信品質測定用参照信号を基地局装置に対して送信する参照信号送信部と、
を具備する、
ことを特徴とする無線通信システム。
【請求項２２】
前記送信情報制御部は、複数の前記帯域幅部分の各々について、共通の前記帯域幅コンフィグレーションパラメータ情報を適用することによって参照信号用帯域の割り当てを行ない、
前記割り当て情報送信部は、前記リソース割り当て情報として、前記送信情報制御部が参照信号用帯域の割り当てに用いた前記帯域幅コンフィグレーションパラメータ情報に対応する帯域幅区分情報と帯域幅インデックスと帯域幅レベルとを送信し、
前記割り当て情報受信部は、前記リソース割り当て情報として、前記割り当て情報送信部が送信した当該帯域幅区分情報と当該帯域幅インデックスと当該帯域幅レベルとを受信し、
前記参照信号制御部は、前記割り当て情報受信部が受信した当該帯域幅区分情報と当該帯域幅インデックスと当該帯域幅レベルとを用いて前記帯域幅コンフィグレーション表記憶部から帯域幅コンフィグレーションパラメータ情報を読み出し、各々の帯域幅部分に対応する帯域幅区分情報に対応付けて前記帯域幅コンフィグレーション表記憶部を検索することにより当該帯域幅コンフィグレーションパラメータ情報に対応する当該帯域幅部分用の帯域幅インデックスおよび帯域幅レベルを特定し、これによって特定された前記帯域幅インデックスおよび前記帯域幅レベルを用いて当該帯域幅部分について前記参照信号用帯域の割り当てを行なう、
ことを特徴とする請求項２１に記載の無線通信システム。
【請求項２３】
前記送信情報制御部は、複数の前記帯域幅部分から予め定められた最大上りリンク送信周波数帯域幅を超えない帯域幅を有する帯域幅部分を基準帯域幅部分として選択し、当該基準帯域幅部分の全体の帯域幅と当該基準帯域幅部分における前記参照信号用帯域の帯域幅との比率である帯域幅比を算出し、算出された前記帯域幅比に基づいて前記複数の帯域幅部分の帯域幅に応じた当該帯域幅部分における参照信号用帯域の割り当てを行ない、
前記割り当て情報送信部は、前記リソース割り当て情報として、前記帯域幅比と、前記基準帯域幅部分における参照信号用帯域の割り当てに関する前記帯域幅レベルおよび前記帯域幅インデックスの情報とを送信し、
前記割り当て情報受信部は、前記リソース割り当て情報として、前記割り当て情報送信部が送信した当該帯域幅区分情報と当該帯域幅インデックスと当該帯域幅レベルと当該帯域幅比を受信し、
前記参照信号制御部は、前記割り当て情報受信部が受信した当該帯域幅区分情報と当該帯域幅インデックスと当該帯域幅レベルと当該帯域幅比とを用いて前記参照信号の帯域幅を算出し、前記帯域幅コンフィグレーション表記憶部から算出された参照信号の帯域幅情報を読み出し、各々の帯域幅部分に対応する帯域幅区分情報に対応付けて前記帯域幅コンフィグレーション表記憶部を検索することにより当該算出された参照信号の帯域幅情報に対応する当該帯域幅部分用の帯域幅インデックスおよび帯域幅レベル、周波数ホッピング演算パラメータを特定し、これによって特定された前記帯域幅インデックスおよび前記帯域幅レベルを用いて当該帯域幅部分について前記参照信号用帯域の割り当てを行なう、
ことを特徴とする請求項２１に記載の無線通信システム。
【請求項２４】
第１通信装置と第２通信装置とを具備し、前記第１通信装置と前記第２通信装置との間で無線通信を行なう無線通信システムであって、
前記第１通信装置は、
信号を前記第２通信装置へ送信する第１送信部と、
前記第２通信装置からの信号を受信する第１受信部と、
サウンディング参照信号帯域幅インデックスおよびサウンディング参照信号帯域幅レベルに関するサウンディング参照信号帯域幅コンフィグレーション表を記憶する帯域幅コンフィグレーション表記憶部と、
前記第１受信部が受信する信号に基づいて前記帯域幅コンフィグレーション表記憶部に記憶された前記サウンディング参照信号帯域幅コンフィグレーション表から特定のサウンディング参照信号帯域幅インデックスおよびサウンディング参照信号帯域幅レベルを選択して、当該特定のサウンディング参照信号帯域幅インデックスおよびサウンディング参照信号帯域幅レベルを前記第２通信装置へ送信するべく前記第１送信部へ転送する送信情報制御部と、
を具備し、
前記第２通信装置は、
前記第１通信装置からの信号を受信する第２受信部と、
信号を前記第１通信装置へ送信する第２送信部と、
前記第２受信部が前記第１通信装置から受信した前記特定のサウンディング参照信号帯域幅インデックスおよびサウンディング参照信号帯域幅レベルに基づいて、複数の帯域幅部分に配置するサウンディング参照信号を生成するとともに、前記サウンディング参照信号を前記第１通信装置へ送信するべく前記第２送信部へ転送する参照信号制御部と、
を具備する、
ことを特徴とする無線通信システム。
【発明の詳細な説明】
【技術分野】
【０００１】
本発明は、無線通信に関する。本発明は、特に、基地局装置、移動局装置、無線通信システム、およびそれらにおける参照信号送信方法に関する。
【背景技術】
【０００２】
標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降、ＥＵＴＲＡと称する）、更にその発展形であるＡｄｖａｎｃｅｄ  ＥＵＴＲＡ（ＬＴＥ−Ａｄｖａｎｃｅｄとも呼ばれる）の検討が進められている（非特許文献１）。
【０００３】
また、ＥＵＴＲＡでは、上りリンクにおける情報の通信方式として、シングルキャリア通信方式であるＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）通信方式が提案されているが、Ａｄｖａｎｃｅｄ  ＥＵＴＲＡでは、上りリンクにおける情報の通信方式として、ＳＣ−ＦＤＭＡ通信方式に加え、マルチキャリア通信方式であるＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式やＤＦＴ−Ｓ−ＯＦＤＭＡ（Ｄｉｓｃｒｅｔｅ  Ｆｏｕｒｉｅｒ  Ｔｒａｎｓｆｏｒｍ−Ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式などが提案されている。
【０００４】
また、ＥＵＴＲＡでは、移動局装置による基地局装置への上りリンク受信品質測定用参照信号（ＳＲＳ，Ｓｏｕｎｄｉｎｇ  Ｒｅｆｅｒｅｎｃｅ  Ｓｉｇｎａｌ）の送信に関して、上りリンクにおける情報の通信方式として、ＤＦＴ−Ｓ−ＯＦＤＭＡ方式によるシングルキャリア通信方式が提案されている。
【０００５】
しかしながら、Ａｄｖａｎｃｅｄ  ＥＵＴＲＡでは、ＥＵＴＲＡで提案されているよりも広い周波数帯域幅が移動局装置や基地局装置に割り当てられることが予想される。
【０００６】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ，スペクトラム・アグリゲーション（Ｓｐｅｃｔｒｕｍ  Ａｇｇｒｅｇａｔｉｏｎ）と称する場合もある）が提案されている（例えば非特許文献２）。キャリア・アグリゲーションとは、下りリンク通信にて、送信装置と、前記送信装置の送信帯域幅を超える受信帯域幅を持つ受信装置とを用意し、それぞれ異なる周波数帯域が設定された複数の送信装置からデータを送信し、受信装置において、前記複数の送信装置から送信されたデータを受信することで、データレートを向上させる技術である。また、上りリンク通信にて、受信装置と、前記受信装置の受信帯域幅を超える送信帯域幅を持つ送信装置を用意し、それぞれ異なる周波数帯域が設定された複数の受信装置が、前記送信装置から送信されたデータを受信することで、データレートを向上させる技術である。
また、本発明ではキャリア・アグリゲーションに使用される複数の周波数帯域のうちの１つの周波数帯域のことを帯域幅部分と称している。
【０００７】
しかしながら、上りリンク通信においてキャリア・アグリゲーションを適用する場合、従来のＥＵＴＲＡ方式とは最大送信帯域幅が異なるため、Ａｄｖａｎｃｅｄ  ＥＵＴＲＡに適した上りリンクチャネルの送信方法を検討する必要がある。特に、ＥＵＴＲＡの上りリンク受信品質測定用参照信号である、サウンディング参照信号（Ｓｏｕｎｄｉｎｇ  ＲＳ、以降ＳＲＳと称する（非特許文献３の５．５．３節））は、移動局装置の上りリンク品質を測定することで上りリンクスケジューリングのため用いられるだけでなく、上りリンクタイミング調整のためにも用いられるため、上りリンク最大送信帯域幅の拡張に伴い適切な送信方法が必要となる。
【０００８】
また、移動局装置側の送信電力の制約等により、一度のＳＲＳの送信においてはその帯域幅が上りリンク最大送信帯域幅に対して狭くても、一度に広い帯域でＳＲＳを送信する代わりに、ＳＲＳを送信する度に周波数位置をホッピングすることで、一定時間内に上りリンク最大送信帯域幅全体の受信品質を測定できる手法（周波数ホッピング方法）も提案されている（非特許文献３（５．５．３節））。
【先行技術文献】
【非特許文献】
【０００９】
【非特許文献１】３ＧＰＰ  ＴＲ３６．９１３，Ｒｅｑｕｉｒｅｍｅｎｔｓ  ｆｏｒ  Ｆｕｒｔｈｅｒ  Ａｄｖａｎｃｅｍｅｎｔｓ  ｆｏｒ  Ｅ−ＵＴＲＡ．Ｖ８．０．０ｈｔｔｐ：／／ｗｗｗ．３ｇｐｐ．ｏｒｇ／ｆｔｐ／Ｓｐｅｃｓ／ｈｔｍｌ−ｉｎｆｏ／３６９１３．ｈｔｍ
【非特許文献２】Ｅｒｉｃｓｓｏｎ，Ｒ１−０８２４６８，３ＧＰＰ  ＴＳＧ−ＲＡＮ１  Ｍｅｅｔｉｎｇ  ＃５３ｂｉｓ，Ｗａｒｓａｗ，Ｐｏｌａｎｄ，Ｊｕｎｅ  ３０−Ｊｕｌｙ  ４，２００８
【非特許文献３】３ＧＰＰ  ＴＳ３６．２１１，Ｐｈｙｓｉｃａｌ  Ｃｈａｎｎｅｌｓ  ａｎｄ  Ｍｏｄｕｌａｔｉｏｎ．Ｖ８．４．０ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
【発明の概要】
【発明が解決しようとする課題】
【００１０】
しかしながら、現在までにＡｄｖａｎｃｅｄ  ＥＵＴＲＡの移動局装置（以後、単に移動局装置と称する）がＳＲＳを送信するタイミングや送信方法、関連するパラメータなどについては、非特許文献１〜３において何ら開示されていない。
【００１１】
また、移動局装置がＳＲＳを送信するタイミングの割り当てや周波数帯域の割り当てや関連するパラメータなどを、基地局装置と移動局装置との間で調整する必要があるが、私用するリソースや電力を削減するためには、この調整の際のシグナリングの情報量を可能な限り少なくすることが望ましい。
特に、複数の帯域幅部分を用いてＳＲＳを送信するために、仮に各帯域幅部分にそれぞれＳＲＳコンフィグレーションを設定し、移動局装置に対してＳＲＳ設定情報を送信するようにした場合には、帯域幅部分の数の増大に伴ってシグナリング量も帯域幅部分の数に応じて増大してしまい望ましくない。
【００１２】
また、キャリア・アグリゲーションを適用する場合、従来のＥＵＴＲＡ方式ではＳＲＳが分割した複数の周波数帯域若しくは不連続な複数の周波数帯域間を周波数ホッピングするため、適切な送信方法が必要となる。
【００１３】
また、仮にＡｄｖａｎｃｅｄ  ＥＵＴＲＡにおいて独自の方式・デザインのＳＲＳを導入した場合、ＥＵＴＲＡの移動局装置との共存が出来ないばかりか、その独自方式のための専用のリソース（周波数やコード資源）が別途必要となり、移動局装置と基地局装置の複雑性が共に増加するため望ましくない。
【００１４】
また、ＳＲＳコンフィグレーションが設定されていない帯域幅を有する帯域幅部分が割当てられた場合、基地局装置及び移動局装置がどのような処理を行なうのかについては、非特許文献１〜３において何ら記載されていない。
【００１５】
つまり、本発明はこれらの状況に鑑みて為されたものである。
本発明の主たる課題は、Ａｄｖａｎｃｅｄ  ＥＵＴＲＡ等の新しい方式の移動局装置が送信するＳＲＳについて、複数の帯域幅部分を用いる場合にも、シグナリングの量を少なくすることである。
また、本発明の従たる課題の一つは、キャリア・アグリゲーションを適用する場合にも適切な周波数ホッピングの方法を提供することである。
また、本発明の従たる課題の一つは、Ａｄｖａｎｃｅｄ  ＥＵＴＲＡ等の新しい方式と、ＥＵＴＲＡ等の既存方式との間の相互互換性を補償し、それら方式の装置が共存できる手段を提供することである。
また、本発明の従たる課題の一つは、ＳＲＳコンフィグレーションが設定されていないような広い帯域幅を有する帯域幅部分が割り当てられた場合にも、基地局装置と移動局装置との間で適切にＳＲＳのやりとりができるような手段を提供することである。
これらにより、移動局装置に割り当てることのできるリソース（周波数帯域）全てを効率的に使用することができ、基地局装置による通信制御（スケジューリング）の周波数効率を向上させることができるようにすることを目的とする。そして、それらを可能とする基地局装置、移動局装置、無線通信システム、およびその参照信号送信方法を提供しようとするものである。
【課題を解決するための手段】
【００１６】
本発明の一態様による基地局装置は、複数の帯域幅部分に対してＳＲＳコンフィグレーションを設定し、このＳＲＳコンフィグレーションに対応して、複数の帯域幅部分に共通のリソース割り当て情報を移動局装置に送信することを特徴としている。
【００１７】
また、本発明の一態様による移動局装置は、前記基地局装置から送信されたリソース割り当て情報を基に、ＳＲＳを生成し、基地局装置に対してＳＲＳを送信することを特徴としている。
【００１８】
また、本発明の一態様による基地局装置は、移動局装置からのＳＲＳを受信する基地局装置であって、キャリア・アグリゲーションを適用した場合、複数の周波数帯域から各ＳＲＳを送信する移動局装置に対して、リソース割り当て情報を送信することを特徴としている。このリソース割り当て情報は、移動局装置がＳＲＳを送信する際の複数の周波数帯域を指示する周波数帯域指示情報として機能する。
【００１９】
また、本発明の一態様による基地局装置は、前記のリソース割り当て情報を、無線資源制御信号に含めて前記移動局装置に対して送信することを特徴としている。
【００２０】
また、本発明の一態様による基地局装置は、複数の周波数帯域の中に移動局装置の許容範囲外の広周波数帯域が含まれている場合、前記広周波数帯域を移動局装置の許容範囲内になるように周波数帯域を分割することを特徴としている。
【００２１】
また、本発明の移動局装置は、基地局装置から受信した信号品質を示すＳＲＳを前記基地局装置に対して送信する移動局装置であって、移動局装置固有の情報から算出した周波数帯域から得られるＳＲＳを前記基地局装置に対して送信することを特徴としている。
【００２２】
また、本発明の移動局装置は、基地局装置から受信した信号品質を示すＳＲＳを前記基地局装置に対して送信する移動局装置であって、キャリア・アグリゲーションを適用した場合、前記基地局装置に対して、複数の周波数帯域を用いてＳＲＳを送信することを特徴としている。
【００２３】
（１）また、本発明の一態様によるは、移動局装置との間で複数の帯域幅部分を用いて信号の送受信を行なう基地局装置であって、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御部と、前記リソース割り当て情報を前記移動局装置に対して送信する送信部と、
前記送信情報制御部によって割り当てられた前記参照信号用帯域において前記移動局装置からの上りリンク受信品質測定用参照信号を受信する受信部とを具備することを特徴とする。
【００２４】
（２）また、本発明の一態様によるは、前記の基地局装置において、前記送信情報制御部は、複数の前記帯域幅部分から予め定められた最大上りリンク送信周波数帯域幅を超えない帯域幅を有する帯域幅部分を基準帯域幅部分として選択し、当該基準帯域幅部分の全体の帯域幅と当該基準帯域幅部分における前記参照信号用帯域の帯域幅との比率である帯域幅比を算出し、算出された前記帯域幅比に基づいて前記複数の帯域幅部分の帯域幅に応じた当該帯域幅部分における参照信号用帯域の割り当てを行ない、前記送信部は、前記リソース割り当て情報として、前記帯域幅比と、前記基準帯域幅部分における参照信号用帯域の割り当てに関する前記帯域幅レベルおよび前記帯域幅インデックスの情報とを送信することを特徴とする。
【００２５】
（３）また、本発明の一態様は、前記の基地局装置において、前記送信情報制御部は、前記複数の帯域幅部分のうち最小の帯域幅を有する帯域幅部分を前記基準帯域幅部分として選択する、ことを特徴とする。
【００２６】
（４）また、本発明の一態様は、前記の基地局装置において、前記送信情報制御部は、前記複数の帯域幅部分から前記最大上りリンク送信周波数帯域幅を超える帯域幅を有する帯域幅部分を選択し、選択された当該帯域幅部分の中に含まれる前記最大上りリンク送信周波数帯域幅を超えない帯域幅の部分を仮想帯域幅部分として選択し、選択された前記仮想帯域幅部分を前記基準帯域幅部分として選択する、ことを特徴とする。
【００２７】
（５）また、本発明の一態様は、前記の基地局装置において、前記送信情報制御部は、前記複数の帯域幅部分のうち最小の帯域幅を有する帯域幅部分を基準帯域幅部分として選択し、当該基準帯域幅部分について前記参照信号用帯域の割り当てを行ない、前記基準帯域幅部分における参照信号用帯域の割り当てに関する前記帯域幅レベルおよび前記帯域幅インデックスを、前記複数の帯域幅部分のうちの他の帯域幅部分にも適用することによって当該他の帯域幅部分についての前記参照信号用帯域の割り当てを行ない、前記送信部は、前記リソース割り当て情報として、前記基準帯域幅部分における参照信号用帯域の割り当てに関する前記帯域幅レベルおよび前記帯域幅インデックスを送信する、ことを特徴とする。
【００２８】
（６）また、本発明の一態様は、前記の基地局装置において、前記送信情報制御部は、予め定められた最大上りリンク送信周波数帯域幅を超えない帯域幅を有する複数の帯域幅部分を選択し、これら複数の帯域幅部分に対して、前記帯域幅コンフィグレーション表記憶部に保持されている共通の帯域幅コンフィグレーションパラメータ情報を適用することにより、これら複数の帯域幅部分についての前記参照信号用帯域の割り当てを行ない、前記送信部は、前記リソース割り当て情報として、前記複数の帯域幅部分についての前記参照信号用帯域の割り当てに用いた当該帯域幅コンフィグレーションパラメータ情報を送信する、ことを特徴とする。
【００２９】
（７）また、本発明の一態様は、前記の基地局装置において、前記送信情報制御部は、前記複数の帯域幅部分のうち最小の帯域幅を有する帯域幅部分を基準帯域幅部分として選択し、当該基準帯域幅部分について前記参照信号用帯域の割り当てを行ない、前記基準帯域幅部分についての前記参照信号用帯域の割り当てに用いた前記帯域幅コンフィグレーションパラメータ情報を、前記複数の帯域幅部分のうちの他の帯域幅部分にも適用することによって当該他の帯域幅部分についての前記参照信号用帯域の割り当てを行ない、前記送信部は、前記リソース割り当て情報として、
（ａ）基準帯域幅部分についての前記参照信号用帯域の割り当てに用いた前記帯域幅コンフィグレーションパラメータ情報，
（ｂ）基準帯域幅部分についての前記参照信号用帯域の割り当てに用いた帯域幅インデックスおよび帯域幅レベルと当該基準帯域幅部分に対応する帯域幅区分情報、
の（ａ）又は（ｂ）を送信するとともに周波数ホッピングを行なう周波数の範囲をシフトするための周波数位置シフト情報をも送信する、ことを特徴とする。
【００３０】
（８）また、本発明の一態様は、前記の基地局装置において、前記送信情報制御部は、前記複数の帯域幅部分の全ての帯域幅が予め定められた最大上りリンク送信周波数帯域幅を超える場合には、前記複数の帯域幅部分の少なくともいずれか１つを、前記最大上りリンク送信周波数帯域幅を超えない帯域幅を有する複数の帯域幅部分に分割する、ことを特徴とする。
【００３１】
（９）また、本発明の一態様は、前記の基地局装置において、前記送信情報制御部は、前記最大上りリンク送信周波数帯域幅を超える帯域幅を有する帯域幅部分を、前記最大上りリンク送信周波数帯域幅を超えない所定の仮想帯域幅ずつに分割する、ことを特徴とする。
【００３２】
（１０）また、本発明の一態様は、前記の基地局装置において、前記送信情報制御部は、前記最大上りリンク送信周波数帯域幅を超える帯域幅を有する帯域幅部分を、２以上の所定の整数で順次均等に分割することにより、前記最大上りリンク送信周波数帯域幅を超えない帯域幅を有する複数の帯域幅部分を得る、ことを特徴とする。
【００３３】
（１１）また、本発明の一態様は、前記の基地局装置において、前記送信情報制御部は、前記複数の帯域幅部分に対して、上りリンク受信品質測定用参照信号の周波数ホッピング情報を設定し、前記送信部は、前記送信情報制御部によって設定された前記周波数ホッピング情報をさらに送信し、前記受信部は、前記周波数ホッピング情報に応じた前記参照信号用帯域において前記移動局装置からの前記上りリンク受信品質測定用参照信号を受信する、ことを特徴とする。
ここで、周波数ホッピング情報とは、参照信号用帯域を所定のタイミングで順次変えていく周波数ホッピングの方法（ホッピングを行なう時間的周期や時間的オフセット、ホッピングの際に周波数変更量、ホッピングのパターンなど）に関する設定情報である。この周波数ホッピング情報は、後述する周波数ホッピングオプションのいずれを選択するかを表わす情報を含む。基地局装置から移動局装置にこの周波数ホッピング情報を送信することにより、両装置間で周波数ホッピングのタイミングや変更後の参照信号用帯域の帯域を共通に設定することができる。
【００３４】
（１２）また、本発明の一態様は、基地局装置との間で複数の帯域幅部分を用いて信号の送受信を行なう移動局装置であって、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、前記複数の帯域幅部分に共通なリソース割り当て情報を前記基地局装置から受信する受信部と、前記受信部が受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御部と、前記参照信号制御部によって割り当てられた前記参照信号用帯域を用いて前記上りリンク受信品質測定用参照信号を基地局装置に対して送信する送信部と、を具備することを特徴とする。
【００３５】
（１３）また、本発明の一態様は、前記の移動局装置において、前記受信部は、前記リソース割り当て情報として、帯域幅比と、帯域幅レベルと、帯域幅インデックスとの情報を受信し、前記参照信号制御部は、複数の帯域幅部分から予め定められた最大上りリンク送信周波数帯域幅を超えない帯域幅を有する帯域幅部分を基準帯域幅部分として選択し、当該基準帯域幅部分に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該基準帯域幅部分についての参照信号用帯域の割り当てを行なうとともに、前記基準帯域幅部分以外の帯域幅部分の帯域幅と受信した前記帯域幅比に応じて前記基準帯域幅部分以外の帯域幅部分についての参照信号用帯域の割り当てを行なう、ことを特徴とする。
【００３６】
（１４）また、本発明の一態様は、前記の移動局装置において、前記参照信号制御部は、前記複数の帯域幅部分のうち最小の帯域幅を有する帯域幅部分を前記基準帯域幅部分として選択する、ことを特徴とする。
【００３７】
（１５）また、本発明の一態様は、前記の移動局装置において、前記参照信号制御部は、前記複数の帯域幅部分から前記最大上りリンク送信周波数帯域幅を超える帯域幅を有する帯域幅部分を選択し、選択された当該帯域幅部分の中に含まれる前記最大上りリンク送信周波数帯域幅を超えない帯域幅の部分を仮想帯域幅部分として選択し、選択された前記仮想帯域幅部分を前記基準帯域幅部分として選択する、ことを特徴とする。
【００３８】
（１６）また、本発明の一態様は、前記の移動局装置において、前記受信部は、前記リソース割り当て情報として、帯域幅レベルおよび帯域幅インデックスを受信し、前記参照信号制御部は、前記複数の帯域幅部分のうち最小の帯域幅を有する帯域幅部分を基準帯域幅部分として選択し、当該基準帯域幅部分に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該基準帯域幅部分についての参照信号用帯域の割り当てを行なうとともに、他の帯域幅部分の各々に対応する前記帯域幅区分情報と受信した前記帯域幅レベルおよび前記帯域幅インデックスを用いて前記帯域幅コンフィグレーション表記憶部から読み出した前記帯域幅コンフィグレーションパラメータ情報によって当該帯域幅部分についての参照信号用帯域の割り当てを行なう、ことを特徴とする。
【００３９】
（１７）また、本発明の一態様は、前記の移動局装置において、前記受信部は、前記リソース割り当て情報として、帯域幅コンフィグレーションパラメータ情報を受信し、前記参照信号制御部は、予め定められた最大上りリンク送信周波数帯域幅を超えない帯域幅を有する複数の帯域幅部分を選択し、これら複数の帯域幅部分の各々に対して、受信した前記帯域幅コンフィグレーションパラメータ情報をそのまま適用することにより、各帯域幅部分についての参照信号用帯域の割り当てを行なう、ことを特徴とする。
【００４０】
（１８）また、本発明の一態様は、前記の移動局装置において、前記受信部は、前記リソース割り当て情報として、
（ａ）帯域幅コンフィグレーションパラメータ情報，
（ｂ）帯域幅インデックスと帯域幅レベルと帯域幅区分情報との組み合わせ、
の（ａ）又は（ｂ）を受信し、前記受信部は、さらに、周波数ホッピングを行なう周波数の範囲をシフトするための周波数位置シフト情報を受信し、前記参照信号制御部は、前記受信部が前記（ａ）を受信した場合には、受信した前記帯域幅コンフィグレーションパラメータ情報を複数の帯域幅部分の各々に適用することによって各帯域幅部分についての参照信号用帯域の割り当てを行ない、  前記受信部が前記（ｂ）を受信した場合には、受信した前記帯域幅インデックスと前記帯域幅レベルと前記帯域幅区分情報とを用いて前記帯域幅コンフィグレーション表記憶部から読み出した前記帯域幅コンフィグレーションパラメータ情報によって前記複数の帯域幅部分の各々についての参照信号用帯域の割り当てを行なう、ことを特徴とする。
【００４１】
（１９）また、本発明の一態様は、前記の移動局装置において、前記受信部は、基地局装置側から上りリンク受信品質測定用参照信号の周波数ホッピング情報を受信し、前記参照信号制御部は、前記複数の帯域幅部分に対して前記周波数ホッピング情報を設定し、前記送信部は、前記周波数ホッピング情報に応じた前記参照信号用帯域を用いて前記上りリンク受信品質測定用参照信号を送信する、ことを特徴とする。
【００４２】
（２０）また、本発明の一態様は、基地局装置と移動局装置との間で複数の帯域幅部分を用いて信号の送受信を行なう無線通信システムにおける参照信号送信方法であって、前記基地局装置および前記移動局装置の双方に共通の帯域幅コンフィグレーションパラメータ情報として、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて、前記基地局装置および前記移動局装置それぞれの帯域幅コンフィグレーション表記憶部に予め保持しておき、前記基地局装置において、複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御過程と、前記基地局装置において、前記リソース割り当て情報を前記移動局装置に対して送信する割り当て情報送信過程と、前記移動局装置において、前記複数の帯域幅部分に共通なリソース割り当て情報を前記基地局装置から受信する割り当て情報受信過程と、前記移動局装置において、前記割り当て情報受信過程で受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御過程と、前記移動局装置において、前記参照信号制御過程で割り当てられた前記参照信号用帯域を用いて前記上りリンク受信品質測定用参照信号を基地局装置に対して送信する参照信号送信過程と、前記基地局装置において、前記送信情報制御過程で割り当てられた前記参照信号用帯域において前記移動局装置からの上りリンク受信品質測定用参照信号を受信する参照信号受信過程と、を含むことを特徴とする。
【００４３】
（２１）また、本発明の一態様は、基地局装置と移動局装置とを含んで構成され、前記基地局装置と前記移動局装置との間で複数の帯域幅部分を用いて信号の送受信を行なう無線通信システムであって、前記基地局装置は、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、複数の前記帯域幅部分について共通のリソース割り当て情報と前記帯域幅コンフィグレーション表記憶部に記憶されている帯域幅コンフィグレーションパラメータ情報とに基づいて前記参照信号用帯域の割り当てを行なう送信情報制御部と、前記リソース割り当て情報を前記移動局装置に対して送信する割り当て情報送信部と、前記送信情報制御部によって割り当てられた前記参照信号用帯域において前記移動局装置からの上りリンク受信品質測定用参照信号を受信する参照信号受信部と、を具備し、前記移動局装置は、前記帯域幅部分の中に上りリンク受信品質測定用参照信号のための参照信号用帯域を設定するためのパラメータである帯域幅コンフィグレーションパラメータ情報を、前記帯域幅部分の帯域幅の大きさの区分を表わす帯域幅区分情報と、帯域幅レベルと、帯域幅インデックスとの組み合わせに対応付けて保持する帯域幅コンフィグレーション表記憶部と、前記複数の帯域幅部分に共通なリソース割り当て情報を前記基地局装置から受信する割り当て情報受信部と、前記割り当て情報受信部が受信した前記リソース割り当て情報に応じて、前記帯域幅コンフィグレーション表記憶部から読み出す帯域幅コンフィグレーションパラメータ情報に基づいて、複数の帯域幅部分のそれぞれについて前記参照信号用帯域の割り当てを行なうとともに、上りリンク受信品質測定用参照信号を生成する参照信号制御部と、前記参照信号制御部によって割り当てられた前記参照信号用帯域を用いて前記上りリンク受信品質測定用参照信号を基地局装置に対して送信する参照信号送信部と、を具備する、ことを特徴とする。
【００４４】
（２２）また、本発明の一態様は、前記の無線通信システムにおいて、前記送信情報制御部は、複数の前記帯域幅部分の各々について、共通の前記帯域幅コンフィグレーションパラメータ情報を適用することによって参照信号用帯域の割り当てを行ない、前記割り当て情報送信部は、前記リソース割り当て情報として、前記送信情報制御部が参照信号用帯域の割り当てに用いた前記帯域幅コンフィグレーションパラメータ情報に対応する帯域幅区分情報と帯域幅インデックスと帯域幅レベルとを送信し、前記割り当て情報受信部は、前記リソース割り当て情報として、前記割り当て情報送信部が送信した当該帯域幅区分情報と当該帯域幅インデックスと当該帯域幅レベルとを受信し、前記参照信号制御部は、前記割り当て情報受信部が受信した当該帯域幅区分情報と当該帯域幅インデックスと当該帯域幅レベルとを用いて前記帯域幅コンフィグレーション表記憶部から帯域幅コンフィグレーションパラメータ情報を読み出し、各々の帯域幅部分に対応する帯域幅区分情報に対応付けて前記帯域幅コンフィグレーション表記憶部を検索することにより当該帯域幅コンフィグレーションパラメータ情報に対応する当該帯域幅部分用の帯域幅インデックスおよび帯域幅レベルを特定し、これによって特定された前記帯域幅インデックスおよび前記帯域幅レベルを用いて当該帯域幅部分について前記参照信号用帯域の割り当てを行なう、ことを特徴とする。
【００４５】
（２３）また、本発明の一態様は、前記の無線通信システムにおいて、前記送信情報制御部は、複数の前記帯域幅部分から予め定められた最大上りリンク送信周波数帯域幅を超えない帯域幅を有する帯域幅部分を基準帯域幅部分として選択し、当該基準帯域幅部分の全体の帯域幅と当該基準帯域幅部分における前記参照信号用帯域の帯域幅との比率である帯域幅比を算出し、算出された前記帯域幅比に基づいて前記複数の帯域幅部分の帯域幅に応じた当該帯域幅部分における参照信号用帯域の割り当てを行ない、前記割り当て情報送信部は、前記リソース割り当て情報として、前記帯域幅比と、前記基準帯域幅部分における参照信号用帯域の割り当てに関する前記帯域幅レベルおよび前記帯域幅インデックスの情報とを送信し、前記割り当て情報受信部は、前記リソース割り当て情報として、前記割り当て情報送信部が送信した当該帯域幅区分情報と当該帯域幅インデックスと当該帯域幅レベルと当該帯域幅比を受信し、前記参照信号制御部は、前記割り当て情報受信部が受信した当該帯域幅区分情報と当該帯域幅インデックスと当該帯域幅レベルと当該帯域幅比とを用いて前記参照信号の帯域幅を算出し、前記帯域幅コンフィグレーション表記憶部から算出された参照信号の帯域幅情報を読み出し、各々の帯域幅部分に対応する帯域幅区分情報に対応付けて前記帯域幅コンフィグレーション表記憶部を検索することにより当該算出された参照信号の帯域幅情報に対応する当該帯域幅部分用の帯域幅インデックスおよび帯域幅レベル、周波数ホッピング演算パラメータを特定し、これによって特定された前記帯域幅インデックスおよび前記帯域幅レベルを用いて当該帯域幅部分について前記参照信号用帯域の割り当てを行なう、ことを特徴とする。
【００４６】
（２４）また、本発明の一態様は、第１通信装置と第２通信装置とを具備し、前記第１通信装置と前記第２通信装置との間で無線通信を行なう無線通信システムであって、前記第１通信装置は、信号を前記第２通信装置へ送信する第１送信部と、前記第２通信装置からの信号を受信する第１受信部と、サウンディング参照信号帯域幅インデックスおよびサウンディング参照信号帯域幅レベルに関するサウンディング参照信号帯域幅コンフィグレーション表を記憶する帯域幅コンフィグレーション表記憶部と、前記第１受信部が受信する信号に基づいて前記帯域幅コンフィグレーション表記憶部に記憶された前記サウンディング参照信号帯域幅コンフィグレーション表から特定のサウンディング参照信号帯域幅インデックスおよびサウンディング参照信号帯域幅レベルを選択して、当該特定のサウンディング参照信号帯域幅インデックスおよびサウンディング参照信号帯域幅レベルを前記第２通信装置へ送信するべく前記第１送信部へ転送する送信情報制御部とを具備し、前記第２通信装置は、前記第１通信装置からの信号を受信する第２受信部と、信号を前記第１通信装置へ送信する第２送信部と、前記第２受信部が前記第１通信装置から受信した前記特定のサウンディング参照信号帯域幅インデックスおよびサウンディング参照信号帯域幅レベルに基づいて、複数の帯域幅部分に配置するサウンディング参照信号を生成するとともに、前記サウンディング参照信号を前記第１通信装置へ送信するべく前記第２送信部へ転送する参照信号制御部とを具備する、ことを特徴とする。
【発明の効果】
【００４７】
本発明によれば、複数の帯域幅部分に共通のリソース割り当て情報を基地局装置から移動局装置に送信するとともに、基地局装置および移動局装置の双方において、この共通のリソース割り当て情報に基づいて決定可能な方法で、各帯域幅部分についての参照信号用帯域の割り当てを行なう。従って、帯域幅部分ごとに個別に参照信号用帯域の割り当てに関する情報を基地局装置から移動局装置に送信する必要はない。
【００４８】
本発明は、上記の構成により、不連続な周波数帯域を含んだ複数の周波数帯域に跨ってＳＲＳを送信することのできる移動局装置と基地局装置とのＳＲＳに係る（パラメータの）設定方法を提供することができる。
【００４９】
また、本発明は、周波数帯域幅や周波数帯域の数に関係なく、１つのＳＲＳコンフィグレーション情報を基に、複数の帯域幅部分のＳＲＳのリソース割り当ての設定を行うことができるため、基地局装置から移動局装置へと送信するシグナリング量の削減が可能である。
従来は、帯域幅部分毎にＳＲＳコンフィグレーション情報を設定するためにＳＲＳ帯域幅インデックス情報やＳＲＳ帯域幅レベル情報等を設定しなければならなかったが、本発明では複数の帯域幅部分の中から1つの帯域幅部分を選択し、選択した帯域幅部分にＳＲＳコンフィグレーション情報を適用すれば、前記選択した帯域幅部分のＳＲＳコンフィグレーション情報を他の帯域幅部分に共通のＳＲＳコンフィグレーション情報として使用できる。
【００５０】
本発明によれば、ＥＵＴＲＡのＳＲＳコンフィグレーションを基に、Ａｄｖａｎｃｅｄ  ＥＵＴＲＡのＳＲＳを設定できる基地局装置、移動局装置、無線通信システム、プログラムを提供できる。
【００５１】
また、本発明によれば、Ａｄｖａｎｃｅｄ  ＥＵＴＲＡに適したＳＲＳを用いる基地局装置、移動局装置、無線通信システム、プログラムを提供することができる。
【００５２】
また、本発明によれば、ＥＵＴＲＡに適したＳＲＳを用いる基地局装置、移動局装置、無線通信システム、プログラムと互換性を持たせることができる。
【００５３】
また、本発明によれば、不連続な複数の周波数帯域および分割した周波数帯域を利用してＳＲＳを基地局装置に送信することのできる移動局装置を提供することができる。
【００５４】
また、本発明によれば、不連続な複数の周波数帯域および分割した周波数帯域を利用して移動局装置から送信されたＳＲＳを受信することのできる基地局装置を提供することができる。
【図面の簡単な説明】
【００５５】
【図１】本発明の実施形態で用いるＳＲＳリソース割り当てと周波数ホッピングの例を示す概略図である。
【図２】本発明の第１の実施形態に係る基地局装置の概略構成を示すブロック図である。
【図３】本発明の第１の実施形態に係る移動局装置の概略構成を示すブロック図である。
【図４】本発明の実施形態におけるＰＵＳＣＨ、ＰＵＣＣＨ、ＳＲＳの構成の一例を示した概略図である。
【図５】本発明の実施形態により用いる不連続な周波数を有する複数の周波数帯域部分を示す概略図である。
【図６】上記の不連続な周波数を有する複数の周波数帯域部分を用いたキャリア・アグリゲーションを示す概略図である。
【図７】本発明の実施形態において、基地局装置と移動局装置がそれぞれ帯域幅部分の設定を管理するために保持するテーブルの構造を示す概略図である。
【図８】第１の実施形態におけるＳＲＳリソースの割り当て（マッピング）とＳＲＳ送信の詳細手順を示すシーケンス図である。
【図９】本発明の実施形態に係るＳＲＳの周波数ホッピングオプション１を示した概略図である。
【図１０】本発明の実施形態に係るＳＲＳの周波数ホッピングオプション２を示した概略図である。
【図１１】本発明の実施形態に係るＳＲＳの周波数ホッピングオプション３を示した概略図である。
【図１２】第２の実施形態におけるＳＲＳリソースの割り当て（マッピング）とＳＲＳ送信の詳細手順を示すシーケンス図である。
【図１３】第３の実施形態の基本形態における処理の詳細手順を示したシーケンス図である。
【図１４】第３の実施形態の変形例１における処理の詳細手順を示したシーケンス図である。
【図１５】第３の実施形態の変形例２における処理の詳細手順を示したシーケンス図である。
【図１６】第３の実施形態の変形例２における周波数位置シフトの具体例を示す概略図である。
【図１７】第３の実施形態の変形例３における処理の詳細手順を示したシーケンス図である。
【図１８】第４の実施形態におけるＳＲＳのマッピングの手順を示したフローチャートである。
【図１９】第４の実施形態における帯域幅部分の分割の具体例を示す概略図である。
【図２０】第５の実施形態におけるＳＲＳのマッピングの手順を示したフローチャートである。
【図２１】第４の実施形態における帯域幅部分の分割の具体例を示す概略図である。
【図２２】第６の実施形態における処理の詳細手順を示したシーケンス図である。
【図２３】第７の実施形態における処理の詳細手順を示したシーケンス図である。
【発明を実施するための形態】
【００５６】
以下、図面を参照しながら、本発明の複数の実施形態について説明する。
＜第１の実施形態＞
まず、第１の実施形態に係る移動通信システムについて説明する。この移動通信システムは、基地局装置１００と移動局装置２００とを含んで構成される。
【００５７】
まず、本実施形態の移動通信システムが使用する、（１）物理チャネルと、（２）ＳＲＳのリソース割り当て及び周波数ホッピングと、（３）ＳＲＳコンフィグレーションについて説明する。
【００５８】
（１）物理チャネル
ＥＵＴＲＡおよびＡｄｖａｎｃｅｄ  ＥＵＴＲＡで使用される物理チャネルには、報知情報チャネル、上りリンクデータチャネル、下りリンクデータチャネル、下りリンク制御チャネル、上りリンク制御チャネル、ランダムアクセスチャネル、同期シグナル、下りリンク参照信号などが含まれる。
ＥＵＴＲＡ、およびＡｄｖａｎｃｅｄ  ＥＵＴＲＡにおいて、物理チャネルの種類が今後追加されたり、または、チャネル構造が変更されたりする可能性もあるが、このような変更がなされた場合でも、下で説明する本発明の各実施形態を適用可能である。また、参照信号としては下りリンク参照信号と上りリンク参照信号がある。
【００５９】
本発明の各実施形態に関わる物理チャネルは、主に上りリンク参照信号であるため、それ以外の物理チャネルの詳細な説明は省略または簡略化する。
上りリンク参照信号（Ｕｐｌｉｎｋ  Ｒｅｆｅｒｅｎｃｅ  Ｓｉｇｎａｌ、以降ＵＬ−ＲＳと称する）は、移動局装置から基地局装置へ送信される。ＵＬ−ＲＳには、サウンディング参照信号（ＳＲＳ）とデモジュレーション参照信号（ＤＭ−ＲＳ）とがある。サウンディング参照信号は、基地局装置が測定することで、移動局装置の上りリンク無線送信信号の受信品質の判断をし、受信品質に基づく上りリンクのスケジューリングや、上りリンクタイミング同期の調整に用いられる上りリンク受信品質測定用参照信号である。また、デモジュレーション参照信号は、上りリンクデータチャネルと共に送信され、上りリンク共用チャネルの信号の振幅、位相や周波数の変動量を計算し、上りリンクデータチャネルを利用して送信された信号を復調するための参照信号としても使用される。ＳＲＳのためのチャネルの周波数幅は、基地局装置の周波数帯域幅に応じて決定される。また、ＳＲＳには、時間軸リンクに対して周波数ホッピングが適用される。この周波数ホッピングを用いることで、周波数ダイバーシティ効果と干渉の平均化効果が得られる。
【００６０】
（２）ＳＲＳのリソース割り当て及び周波数ホッピング
ＳＲＳのリソース割り当てと周波数ホッピングについて説明する。
図１は、ＳＲＳリソース割り当てと周波数ホッピングを示す概略図である。同図において横軸は時間であり、縦軸は周波数である。同図（ａ）は、ＳＲＳのリソース割り当ての一例を示している。同図（ａ）の例において、時間軸方向に１４個のシンボルが並んでいる。７個のシンボルが１スロットに相当し、１スロットの長さは０．５ミリ秒（ｍｓ）である。また、１４個のシンボル（２スロットに相当）が１サブフレームに相当し、１サブフレームの長さは１ミリ秒である。このように１サブフレームが１４シンボルで構成される上りリンク信号において、ＳＲＳは１４番目のシンボルに割り当てられる。１４番目のシンボルに割り当てられるＳＲＳのリソース（周波数方向の帯域幅）は、送信周波数帯域幅に応じて、後述するＳＲＳコンフィグレーション（設定項目）に基づいて決定される。
また、時間軸方向に対しては、送信する度に周波数位置を変更して送信される周波数ホッピングが適用される。同図（ｂ）は、ＳＲＳ周波数ホッピングの一例を示す。同図（ｂ）において、送信周期Ｔ毎にＳＲＳが送信されるが、図に示すように、周期Ｔ毎に（つまり送信する度に）周波数方向にホッピングを行う。言い換えれば、周期Ｔ毎に、移動局装置１と２にはそれぞれ、ＰＵＳＣＨの異なる周波数帯域がＳＲＳ用に割り当てられる。
【００６１】
（３）ＳＲＳコンフィグレーション情報
ＳＲＳコンフィグレーション情報とは、移動局装置と基地局装置に設定されているＳＲＳ送信に関するパラメータのことであり、例えば、サブキャリア送信位置、リソース割り当て、送信周期、時間オフセット、ＳＲＳ送信帯域幅、周波数ホッピング方法、巡回シフト量などを含んで構成される。
ＳＲＳコンフィグレーション情報には、主に、ＳＲＳ帯域幅コンフィグレーション情報（以降、単に帯域幅（ＢＷ）コンフィグレーション情報と称する）と、ＳＲＳサブフレームコンフィグレーション情報（以降、単にサブフレーム（ＳＦ）コンフィグレーション情報と称する）と、ＳＲＳホッピングレベル情報（以降、単にホッピングレベル情報と称する）とがある。帯域幅コンフィグレーション情報は、ＳＲＳの帯域幅と周波数ホッピングパターンを決定するのに使用される。また、サブフレームコンフィグレーション情報は、ＳＲＳの送信周期と時間オフセットを決定する。ホッピングレベル情報は周波数ホッピングの有無や周波数ホッピングの大きさを決定するために使用する情報である。
【００６２】
帯域幅コンフィグレーション情報とサブフレームコンフィグレーション情報には、それぞれコンフィグレーション表が設定されている。コンフィグレーション表とは、基地局装置と移動局装置との間でやり取りするシグナリング量を削減するために、ＳＲＳに関する複数のパラメータをセットとしてテーブルで管理するものである。このテーブルは、予めシステムで一意に決定されていてもよいし、報知情報として基地局装置から移動局装置に一斉に通知されても良いし、基地局装置から個別の移動局装置へ通知されても良い。
【００６３】
帯域幅コンフィグレーション情報には、システム帯域幅に応じたＳＲＳ帯域幅コンフィグレーション表が設定されている。また、各コンフィグレーション表には、ＳＲＳシステム帯域幅に応じたＳＲＳ帯域幅コンフィグレーションインデックス（以降、帯域幅（ＢＷ）インデックスと称する）と、一定時間内に周波数ホッピングするためのＳＲＳ帯域幅レベル（以降、帯域幅（ＢＷ）レベルと称する）とが設定されている。
ＳＲＳ帯域幅コンフィグレーション表は２次元の表形式のデータであり、行方向の帯域幅インデックスと列方向の帯域幅レベルによって、帯域幅コンフィグレーションパラメータ情報のエントリーが一意に定まる。言い換えれば、帯域幅インデックスと帯域幅レベルの組み合わせと、帯域幅コンフィグレーションパラメータ情報のエントリーとが１対１に対応付いている。
【００６４】
基地局装置は、帯域幅コンフィグレーションパラメータ情報の値そのもののセットを移動局装置に送るのではなく、所定の帯域幅インデックスと帯域幅レベルを適宜選択し、それら帯域幅インデックスと帯域幅レベルの情報を移動局装置へ送信する。これに応じて、移動局装置は、受信した帯域幅インデックスと帯域幅レベルの情報を基に、コンフィグレーション表に設定されている所定の帯域幅コンフィグレーションパラメータ情報を用いてＳＲＳを設定し生成する。
【００６５】
【表１】
2010178129.tif 000003
【００６６】
表１に示すものは、ＳＲＳ帯域幅コンフィグレーション表の一例である。例えば、本表に示すように、所定の帯域幅コンフィグレーションパラメータ情報ｃ００〜ｃ３３とｄ００〜ｄ３３とを管理するために、行ａ０から行ａ３と、列ｂ０から列ｂ３までの４行４列のテーブルから成るＳＲＳ帯域幅コンフィグレーション表を用いる。
ここで、行を示すａ０〜ａ３が上述した帯域幅インデックスである。また、列を示すｂ０〜ｂ３が上述した帯域幅レベルである。なお、本表は４行４列のテーブルを示しているが、行数や列数が異なるテーブルを用いても良い。
【００６７】
一例として、この表の行ａ０・列ｂ２の位置には、帯域幅コンフィグレーションパラメータ情報の値のセットである（ｃ０２，ｄ０２）というコンフィグレーション情報が記録されている。基地局装置が帯域幅コンフィグレーションパラメータ情報の値として（ｃ０２，ｄ０２）を設定したとき、基地局装置は移動局装置に対して帯域幅インデックスａ０と帯域幅レベルｂ２という値を通知する。この通知を受けた移動局装置は、予め基地局装置との間で共有したＳＲＳコンフィグレーション表から、行ａ０・列ｂ２で表わされる位置に設定されている帯域幅コンフィグレーションパラメータ情報（ｃ０２，ｄ０２）を取得し、この帯域幅コンフィグレーションパラメータ情報（ｃ０２，ｄ０２）に基づいてＳＲＳを生成する。
なお、下で説明する実施形態では、移動局装置が基地局装置から行ａ０・列ｂ２という通知を受けたとき、この帯域幅インデックスおよび帯域幅レベルによってテーブルを検索して得られる帯域幅コンフィグレーションパラメータ情報（ｃ０２、ｄ０２）を用いてＳＲＳの設定を行なうこともできるし、或いは通知された値（ａ０，ｂ２）の情報そのものを用いることもできる。値（ａ０，ｂ２）の情報そのものを用いるとは、テーブルから帯域幅コンフィグレーションパラメータ情報を引く代わりに、通知された値ａ０（例えば帯域幅インデックス）と値ｂ２（帯域幅レベル）とを用いることである。
【００６８】
なお、ＳＲＳコンフィグレーション表に記憶させる値（上記においてはｃ００〜ｃ３３およびｄ００〜ｄ３３）としていかなる種類のパラメータを設定するかは、任意である。例えば、ａ０〜ａ３を帯域幅インデックスとし、ｂ０〜ｂ３を帯域幅レベル（この帯域幅レベルは、ＳＲＳ帯域幅と周波数ホッピング演算パラメータとを含むものである）としたとき、パラメータｃ００〜ｃ３３をＳＲＳ帯域幅の情報とし、パラメータｄ００〜ｄ３３を周波数ホッピング演算パラメータ（周波数ホッピング位置を計算するのに必要なパラメータ）とすることも出来る。
すなわち、このとき、ＳＲＳ帯域幅コンフィグレーション表には、帯域幅インデックスと、帯域幅レベルと、帯域幅コンフィグレーションパラメータ情報とが含まれている。
【００６９】
表２、表３、表４、表５は、ＳＲＳ帯域幅コンフィグレーション表のさらに具体的な例である。これらの表は、それぞれ、８行４列（つまり、ＳＲＳ帯域幅（ＳＲＳ−ＢＷ）インデックスとして０〜７、またＳＲＳ帯域幅（ＳＲＳ−ＢＷ）レベルとしてｂ＝０〜３）のテーブルの形式を有している。そして、特定の行の特定の列には、帯域幅コンフィグレーションパラメータ情報の値のセットとして、ＳＲＳ帯域幅（ｍＳＲＳ，ｂ）とＳＲＳ周波数ホッピング演算パラメータ（Ｎｂ）とが記憶されている。なお、ＳＲＳ帯域幅の数値はリソースブロック（ＲＢ）数で表わされており、１リソースブロックの幅は１８０ｋＨｚ（キロヘルツ）である。なお、ここでＳＲＳ周波数ホッピング演算パラメータ（Ｎｂ）はＳＲＳ送信時のＳＲＳの周波数位置を算出するために使用される。
【００７０】
【表２】
2010178129.tif 000004
【００７１】
【表３】
2010178129.tif 000005
【００７２】
【表４】
2010178129.tif 000006
【００７３】
【表５】
2010178129.tif 000007
【００７４】
基地局装置および移動局装置のそれぞれがこれら４つのＳＲＳ帯域幅コンフィグレーション表（表２〜表５）を記憶しており、また、これら４つのＳＲＳ帯域幅コンフィグレーション表は、基地局装置と移動局装置との間で共通の値を保持している。これら４つのＳＲＳ帯域幅コンフィグレーション表は、表識別番号（帯域幅区分情報）によって識別可能となっているとともに、各々の表が帯域幅部分（Ｂａｎｄｗｉｄｔｈ  Ｐａｒｔ：図面等において、ＢＰと略称する場合がある）の帯域幅に対応している。具体的には、表２のＳＲＳ帯域幅コンフィグレーション表は、６リソースブロック（１．０８ＭＨｚ（メガヘルツ））以上且つ４０リソースブロック（７．２ＭＨｚ）以下の帯域幅を有する帯域幅部分用である。また、表３のＳＲＳ帯域幅コンフィグレーション表は、４０リソースブロックより多く且つ６０リソースブロック（１０．８ＭＨｚ）以下の帯域幅を有する帯域幅部分用である。また、表４のＳＲＳ帯域幅コンフィグレーション表は、６０リソースブロックより多く且つ８０リソースブロック（１４．４ＭＨｚ）以下の帯域幅を有する帯域幅部分用である。また、表５のＳＲＳ帯域幅コンフィグレーション表は、８０リソースブロックより多く且つ１１０リソースブロック（１９．８ＭＨｚ）以下の帯域幅を有する帯域幅部分用である。
つまり、基地局装置と移動局装置が予め共通の複数のＳＲＳ帯域幅コンフィグレーション表を保持しておき、それら複数の表は表識別番号によって識別され、またこの表識別番号は帯域幅部分の帯域幅の区分を表わす帯域幅区分情報である。
【００７５】
図２は、本実施形態に係る基地局装置１００（第１通信装置）の概略機能構成を示すブロック図である。図示するように、基地局装置１００は、送信部１３０（第１送信部）と、送信情報制御部１２０と、受信部１４０（第１受信部）と、帯域幅コンフィグレーション表記憶部１６０と、アンテナ１１１とを含んで構成される。
送信部１３０は、データ制御部１０１と、変調符号化部１０２と、マッピング部１０３と、周波数ホッピング部１０４と、逆高速フーリエ変換（ＩＦＦＴ）部１０５と、無線送信部１０６とを含んでいる。
また、受信部１４０は、無線送信部１０７と、高速フーリエ変換（ＦＦＴ）部１０８と、復調復号化部１０９と、データ抽出部１１０とを含んでいる。
【００７６】
帯域幅コンフィグレーション表記憶部１６０は、例えばＲＯＭ（リード・オンリー・メモリー）を用いて構成され、前述のＳＲＳ帯域幅コンフィグレーション表を保持している。帯域幅コンフィグレーション表記憶部１６０に対応している複数のＳＲＳ帯域幅コンフィグレーション表はそれぞれ、表識別番号（帯域幅区分情報）に対応している。各表は、行方向が帯域幅インデックスに、列方向が帯域幅レベルに対応する二次元の表であり、帯域幅インデックスと帯域幅レベルとの組み合わせが、個々の帯域幅コンフィグレーションパラメータ情報のエントリーに対応する。言い換えれば、帯域幅コンフィグレーション表記憶部は、帯域幅コンフィグレーションパラメータ情報を、帯域幅区分情報と、帯域幅レベルと、帯域幅インデックスとの組み合わせに対応付けて保持する。
【００７７】
また、送信情報制御部１２０は、マッピング制御部１１２、周波数ホッピング制御部１１３および送信周波数制御部１１４を含んでいる。
マッピング制御部１１２は、各チャネルへのリソース（周波数帯域と時間帯域によって特定される領域）の割り当て方法を設定する。周波数ホッピング制御部１１３は、周波数ホッピングを行なうか否か、また行なう場合にどの方法（後述する周波数ホッピングオプション）をとるかを設定する。送信周波数制御部１１４は、帯域幅部分の周波数帯域を設定する。
【００７８】
基地局装置１００の送信部１３０において、データ制御部１０１には、上位レイヤなどから、各移動局装置２００に送信するための送信データと、制御データとが入力される。そして、データ制御部１０１は、マッピング制御部１１２が設定したリソースを用いて、それぞれのデータを逐次移動局装置２００に送信するように制御する。また、データ制御部１０１は、送信データと制御データに基づく信号を変調符号化部１０２に渡す。変調符号化部１０２は、変調符号制御部（不図示）が決定した変調方式および符号化率に基づいて、データ制御部１０１から入力される信号に対して、変調処理や誤り訂正符号化処理を施し、各データをマッピング部１０３に出力する。マッピング部１０３と周波数ホッピング部１０４とは、変調符号化部１０２から入力されるデータを、各サブキャリア上にマッピングするとともに、周波数ホッピング制御部１１３による設定に基づく周波数ホッピングを行い、その結果の信号を逆高速フーリエ変換（ＩＦＦＴ）部１０５に出力する。
【００７９】
逆高速フーリエ変換（ＩＦＦＴ）部１０５は、マッピング部１０３および周波数ホッピング部１０４から入力されるデータに、逆高速フーリエ変換の処理を施し、時系列のベースバンドデジタル信号に変換し、無線送信部１０６に出力する。無線送信部１０６は、逆高速フーリエ変換部１０５から入力される信号をＤＡ（デジタル／アナログ）変換し、送信に適した周波数にアップコンバートした後に、アンテナ１１１を介して、各移動局装置２００に対して送信する。
【００８０】
一方、受信部１４０において、無線受信部１０７は、アンテナ１１１で受信した無線信号をＡＤ（アナログ／デジタル）変換し、ベースバンド信号へダウンコンバートした後、高速フーリエ変換（ＦＦＴ）部１０８に出力する。高速フーリエ変換（ＦＦＴ）部１０８は、無線受信部１０７から入力された信号に高速フーリエ変換を施し、サブキャリア毎のデータに分離し、不図示のデマッピング部に出力する。このデマッピング部は、各サブキャリアにマッピングされ且つ周波数ホッピングされているデータを取り出し、復調復号化部１０９に出力する。復調復号化部１０９は、デマッピング部から入力されるデータに復調処理および誤り訂正復号処理を施し、誤り訂正復号後の受信データをデータ抽出部１１０に出力する。データ抽出部１１０は、復調復号化部１０９から入力される誤り訂正復号後の受信データから受信品質情報および上りリンク受信品質測定用参照信号を抽出し、送信情報制御部１２０へ出力する。また、データ抽出部１１０は、受信品質情報や上りリンク受信品質測定用参照信号以外の受信データや制御データを、上位レイヤなどへ出力する。
【００８１】
マッピング制御部１１２には、各移動局装置２００が使用することのできるリソース領域や、間欠送受信サイクルや、送信データチャネルのフォーマットや、バッファ状況などを表わす制御データが、上位レイヤから入力される。この制御データに基づき、マッピング制御部１１２は、下りリンクのスケジューリング、および上りリンクのスケジューリングを行なう。変調符号制御部（不図示）は、移動局装置２００から送信され受信部１４０が受信した受信品質情報に基づいて、各データに施す変調方式、符号化率を決定する。送信周波数制御部１１４は、移動局装置２００から送信され受信部１４０が受信した受信品質情報および上りリンク受信品質測定用参照信号に基づいて、各データに施す周波数選択スケジューリングの処理を行なう。本実施形態においてＳＲＳリソース割り当て（マッピング）方法とＳＲＳ周波数ホッピング方法は送信情報制御部１２０によって決定される。その結果の情報の一部を、リソース割り当て情報や周波数ホッピング情報を含んだ周波数帯域指示情報やスケジューリング情報として、送信データと制御データとともに、送信部１３０が移動局装置に対して送信する。なお、帯域幅コンフィグレーション表記憶部１６０が記憶している情報は、移動局装置側の帯域幅コンフィグレーション表記憶部２６０にも記憶されているため、ＳＲＳリソース割り当て方法とＳＲＳ周波数ホッピング方法に関する情報のうちの一部のみを基地局装置側から移動局装置側に送信すれば充分である。移動局装置側では、基地局装置からそう存された情報に基づき、移動局装置側の帯域幅コンフィグレーション表記憶部２６０から情報を読み出すことにより、ＳＲＳリソース割り当て方法とＳＲＳ周波数ホッピング方法に関して必要なすべての情報を得ることができるからである。周波数帯域指示情報とは、基地局装置が移動局装置に対して、所定の周波数帯、並びに任意の所定の周波数帯域幅を用いて、上りリンク信号を送信するよう、指示するための情報である。このとき、基地局装置は通信状況を考慮して周波数帯および周波数帯域幅を指定する。例えば、周波数２．５ＧＨｚから２．５５ＧＨｚの５０ＭＨｚを用いて上りリンク信号を送信するよう、基地局装置が移動局装置に対して指示するための周波数帯域指示情報である。また、送信情報制御部１２０は、受信部１４０から入手した移動局装置間の通信状況を考慮して、どのコンフィグレーション表を用いるのか、どの帯域幅インデックス、帯域幅レベルを選択するのかのＳＲＳのコンフィグレーション（設定項目）を決定し、その結果の情報も、送信部１３０が移動局装置２００に対して送信する。
【００８２】
図３は、本実施形態に係る移動局装置２００（第２通信装置）の概略機能構成を示すブロック図である。図示するように、移動局装置２００は、送信部２４０（第２送信部）と、受信部２５０（第２受信部）と、受信品質情報制御部２２０と、参照信号制御部２３０と、帯域幅コンフィグレーション表記憶部２６０と、アンテナ２１１とを含んで構成される。
送信部２４０は、データ制御部２０１と、変調符号化部２０２と、マッピング部２０３と、周波数ホッピング部２０４と、逆高速フーリエ変換（ＩＦＦＴ）部２０５と、無線送信部２０６とを含んで構成される。
また、受信部２５０は、無線受信部２０７と、高速フーリエ変換（ＦＦＴ）部２０８と、復調復号化部２０９と、データ抽出部２１０とを含んで構成される。
また、受信品質情報制御部２２０は、受信品質情報生成部２１２および受信品質測定部２１３を含んで構成される。
また、参照信号制御部２３０は、参照信号生成部２１４および参照信号多重化部２１５を含んで構成される。
なお、帯域幅コンフィグレーション表記憶部２６０の構成は、基地局装置側の帯域幅コンフィグレーション表記憶部１６０と同様であるので、ここではその詳細な説明を省略する。
【００８３】
移動局装置２００において、データ制御部２０１には、上位レイヤなどから、基地局装置１００に送信するための送信データと、制御データとが入力される。そして、データ制御部２０１は、それぞれのデータを逐次基地局装置１００に送信するように制御する。また、データ制御部２０１は、送信データと制御データの信号を変調符号化部２０２に渡す。変調符号化部２０２は、データ制御部２０１から出力される信号に変調処理や誤り訂正符号化処理を施し、各データをマッピング部２０３および周波数ホッピング部２０４に出力する。マッピング部２０３および周波数ホッピング部２０４は、変調符号化部２０２から出力される送信データおよび制御データを、各サブキャリア上にマッピングするとともに周波数ホッピングを行い、逆高速フーリエ変換（ＩＦＦＴ）部２０５に出力する。
【００８４】
逆高速フーリエ変換（ＩＦＦＴ）部２０５は、マッピング部２０３および周波数ホッピング部２０４から入力されるデータに、逆高速フーリエ変換の処理を施し、時系列のベースバンドデジタル信号に変換し、無線送信部２０６に出力する。無線送信部２０６は、逆高速フーリエ変換部２０５から入力される信号をデジタル／アナログ変換し、送信に適した周波数にアップコンバートした後に、アンテナ２１１を介して、基地局装置１００に対して送信する。
【００８５】
無線受信部２０７は、アンテナ２１１から受信した無線信号をアナログ／デジタル変換し、高速フーリエ変換部２０８に出力する。高速フーリエ変換部２０８は、無線受信部２０７から入力された信号に高速フーリエ変換を施し、サブキャリア毎のデータに分離し、不図示のデマッピング部に出力する。このデマッピング部は、各サブキャリアにマッピングされているデータを取り出し、復調復号化部２０９に送信する。復調復号化部２０９は、デマッピング部から入力されるデータに復調処理および誤り訂正復号処理を施し、誤り訂正復号後の受信データをデータ抽出部２１０に出力する。データ抽出部２１０は、復調復号化部２０９から入力される誤り訂正復号後のデータから、上りリンクデータの送信形式が指定される制御情報を抽出し、受信品質情報制御部２２０に出力する。また、データ抽出部２１０は、上記の誤り訂正復号後のデータから、参照信号を抽出し、参照信号制御部２３０に出力する。また、データ抽出部２１０は、制御情報や参照信号以外の受信データや制御データを、上位レイヤなどに出力する。
【００８６】
受信品質情報制御部２２０において、受信品質測定部２１３は、受信部２５０が基地局装置１００から受信した信号の受信品質（ＳＮＲ、ＳＮＩＲ、ビットエラーレートなど）を算出する。受信品質情報生成部２１２は、受信品質測定部２１３によって算出された情報に基づいて、基地局装置１００に送信するための受信品質情報を生成する。
【００８７】
参照信号制御部２３０は、データ抽出部２１０より抽出した基地局装置１００からの周波数帯域指示情報やスケジューリング情報に基づいて、基地局装置に送信する上りリンク受信品質測定用参照信号のマッピングおよび周波数ホッピングの制御を行なう。また、参照信号多重化部２１５は、参照信号生成部２１４で生成した上りリンク受信品質測定用参照信号と送信部２４０で生成した送信データおよび制御データとの多重化を行なう。
【００８８】
本実施形態による移動通信システムは、その上りリンクの送信帯域幅がＥＵＴＲＡで提案されている上りリンク最大送信帯域幅を超える場合において適用される。この場合、移動局装置２００は、複数の周波数帯域に跨る送信帯域幅を用いて上りリンクの信号を送信する。
【００８９】
また、本実施形態による移動通信システムは、ＥＵＴＲＡに規定されている上りリンク最大送信帯域幅の範囲内であっても通信状況により必要な送信帯域幅が確保できない場合においても適用される。この場合、移動局装置２００は、上記の上りリンク最大送信帯域幅より狭い周波数帯域を複数用いる。例えば、上り最大送信帯域幅２０ＭＨｚの移動局装置に対して、連続した２０ＭＨｚの周波数帯域を割り当てることができず、それぞれ１０ＭＨｚずつの不連続な周波数帯域を２個用いて２０ＭＨｚを形成し、それら合計２０ＭＨｚの周波数帯域を用いて上りリンクの伝送を行なうような場合においても適用可能である。
【００９０】
図４は、本実施形態における周波数帯域の構成の一例を示した概略図である。同図において（ａ）は単一の周波数帯域で構成される場合、即ちシングルキャリア（Ｓｉｎｇｌｅ  Ｃａｒｒｉｅｒ、以降ＳＣと称する）の場合、（ｂ）はシングルキャリアを周波数領域で分割して複数の周波数帯域（帯域幅部分）とした場合、（ｃ）は不連続な複数の周波数帯域の場合それぞれの周波数帯域の構成の一例を示し、横軸が周波数である。但し、具体的な周波数帯域の構成はこれらに限定されるものではない。
【００９１】
例えばＥＵＴＲＡにおいては１つの移動局装置に対して１つのコンポーネントキャリアが割り当てられていたが、本実施形態は、Ａｄｖａｎｃｅｄ  ＥＵＴＲＡ等をも考慮し、１つの移動局装置に対して複数の周波数帯域が与えられる場合にも対応可能としており、これら各々の周波数帯域が、帯域幅部分である。なお、個々の帯域幅部分を管理するための帯域幅部分管理テーブルについては、後述する。
【００９２】
同図に示す各々の周波数帯域は、ＰＵＣＣＨ（Ｐｈｙｓｉｃａｌ  Ｕｐｌｉｎｋ  Ｃｏｎｔｒｏｌ  Ｃｈａｎｎｅｌ，物理上りリンク制御チャネル）とＰＵＳＣＨ（Ｐｈｙｓｉｃａｌ  Ｕｐｌｉｎｋ  Ｓｈａｒｅｄ  Ｃｈａｎｎｅｌ，物理上りリンク共有チャネル）とＳＲＳの領域を含んで構成される。同図において、符号８０１ａ、８０１ｂ、８０１ｃで示すそれぞれの領域がＰＵＳＣＨであり、符号８０２ａ、８０２ｂ、８０２ｃで示すそれぞれの領域がＰＵＣＣＨであり、符号８０３ａ、８０３ｂ、８０３ｃで示すそれぞれの領域がＳＲＳ用周波数帯域である。同図に示すようにＳＲＳ周波数帯域はＰＵＳＣＨの周波数帯域の一部と重なっているが、既に説明したように、ＳＲＳの領域とＰＵＳＣＨの領域とは時間方向に分割されている（当該周波数帯域における１番目から１４番目までのシンボルのうち、１４番目のシンボルがＳＲＳである）。
【００９３】
同図の（ｂ）および（ｃ）に示すＢＰ１〜ＢＰ３は、帯域幅部分である。また、帯域幅部分にはコンポーネントキャリア（Ｃｏｍｐｏｎｅｎｔ  Ｃａｒｒｉｅｒ）も含まれている。同図（ａ）に示す構成は、単一の帯域幅部分から成っている。各々の帯域幅部分にＳＲＳの周波数帯域が存在しており、移動局装置はこのＳＲＳの周波数帯域を用いてそれぞれの帯域幅部分用の上りリンク受信品質測定用参照信号（ＳＲＳ）を送信する。この帯域幅部分（ＢＰ１、ＢＰ２、ＢＰ３、…）は、移動局装置がＳＲＳを送信する連続な上りリンク最大送信周波数帯域（全周波数帯域）若しくはＥＵＴＲＡで定義されている上りリンク送信周波数帯域を超えた連続な周波数帯域（広周波数帯域）を分割したものでも良いし、不連続な複数の周波数帯域を１つの広帯域システムとして運用されても良い。すなわち、連続した周波数帯域を帯域幅部分（ＢＰ１、ＢＰ２、ＢＰ３…）に分割し、移動局装置は帯域幅部分に分割された各周波数帯域を用いてＳＲＳを基地局装置に送信することができる。また、１つの広帯域システムとして運用される不連続な複数の周波数帯域を、それぞれ帯域幅部分（ＢＰ１、ＢＰ２、ＢＰ３、…）とし、移動局装置が各周波数帯域（帯域幅部分）を用いてＳＲＳを基地局装置に送信するようにしても良い。また、１システムに含まれる各々の帯域幅部分の周波数帯域幅は同じであっても良いし、互いに異なっていても良い。
【００９４】
なお、図示するように、各帯域幅部分内における最下部（最も周波数が低いほうの帯域）および最上部（最も周波数が高いほうの帯域）の両方にＰＵＣＣＨが配置されている。また、それらのＰＵＣＣＨに挟まれている中間の帯域にＰＵＳＣＨが配置されている。また、そのＰＵＳＣＨの中の周波数が低いほうの所定の帯域にＳＲＳ用の周波数帯域が配置されているが、このＳＲＳ用の周波数帯域については、以下に説明するように周波数ホッピングが行なわれる。
【００９５】
また、シングルキャリア、即ち連続の周波数帯域を分割して複数の帯域幅部分を構成するようにしても良い。また、不連続な周波数帯域を複数使用し、それらの各々の周波数帯域を帯域幅部分とするように構成しても良い。さらに、不連続な周波数帯域の中の一つの周波数帯域（シングルキャリア）を、分割して複数の帯域幅部分として構成しても良い。
【００９６】
図５および図６は、本実施形態による基地局装置１００および移動局装置２００が行なうキャリア・アグリゲーションを説明するための概略図である。
図５は、周波数軸上に配置された複数の帯域幅部分を表わしている。それらは、周波数の低い側から順に、ｆ１、ｆ２、ｆ３、ｆ４で示されている。これらの帯域幅部分は、いずれも、他の帯域幅部分とは不連続な周波数帯域を有している。
図６は、上記のｆ１〜ｆ４を用いたキャリア・アグリゲーションを示している。同図に示す送信装置および受信装置は、基地局装置の送信機部分および移動局装置の受信機部分である。あるいは、同図に示す送信装置および受信装置は、移動局装置の送信機部分および基地局装置の受信機部分である。同図に示すように、送信装置は、送信すべきデータ（ＡＢＣＤ）をＡ、Ｂ、Ｃ、Ｄに分割し、それらをそれぞれｆ１、ｆ２、ｆ３、ｆ４の帯域幅部分を用いて個別のアンテナおよびそれに関連する個別の高周波回路を介して送信する。受信装置は、これらの帯域幅部分の無線信号を受信し、各々の受信信号を基にそれぞれデータＡ、Ｂ、Ｃ、Ｄに復調し、これらのデータを元のデータ（ＡＢＣＤ）に再構成する。このようなキャリア・アグリゲーションを用いることにより、たとえ連続した広い周波数帯域を用いることができない場合でも、より高速にデータを送信装置から受信装置へ伝送することができる。
【００９７】
図７は、本実施形態における基地局装置と移動局装置がそれぞれ帯域幅部分の設定を管理するために保持する帯域幅部分管理テーブルの構造を示す概略図である。このテーブルはそれぞれの装置内において例えば半導体メモリなどを用いて実現される。図示するように、この帯域幅部分管理テーブルは、二次元の表の形式であり、帯域幅部分識別情報と、開始周波数と、帯域幅（ＲＢ数）と、ＳＲＳ帯域幅インデックスと、ＳＲＳ帯域幅レベルと、周波数ホッピングオプションと、周波数位置シフト情報と、パラメータｍＳＲＳ，ｂと、パラメータＮｂの各項目の列を有している。そして、この表の各行が各々の帯域幅部分に対応する。
【００９８】
帯域幅部分識別情報は、個々の帯域幅部分をユニークに識別するための情報である。開始周波数は、帯域幅部分の開始周波数を表わす。帯域幅は、帯域幅部分のリソースブロック数を表わす。ＳＲＳ帯域幅インデックスおよびＳＲＳ帯域幅レベルはそれぞれ、表２〜表５に示したＳＲＳ帯域幅コンフィグレーション表における、帯域幅インデックスおよび帯域幅レベルである。周波数位置シフト情報は、当該帯域幅部分内での周波数ホッピングにおいて周波数位置シフトを行なうか否かを表わす情報（詳細は後述）である。パラメータｍＳＲＳ，ｂおよびＮｂは、それぞれ、ＳＲＳ帯域幅コンフィグレーション表内のエントリーから得られ、当該帯域幅部分のパラメータとして用いられる値である。
【００９９】
帯域幅部分管理テーブルが有するこれらの項目のうち、帯域幅部分識別情報と開始周波数と帯域幅の各項目は、以下で述べる処理手順に先立って予め定められており、基地局装置１００側および移動局装置２００側の双方が共通の情報を保持している。その他の項目、即ち、ＳＲＳ帯域幅インデックスと、ＳＲＳ帯域幅レベルと、周波数ホッピングオプションと、周波数位置シフト情報と、パラメータｍＳＲＳ，ｂおよびＮｂは、以下に述べる手順によって、基地局装置１００と移動局装置２００とがそれぞれ、共通の情報を自装置内の帯域幅部分管理テーブルに設定する。
【０１００】
図８は、本実施形態におけるＳＲＳリソースの割り当て（マッピング）とＳＲＳ送信の詳細手順を示すシーケンス図である。図示するように、基地局装置１００がＳＲＳのリソースを割り当て、移動局装置２００がその割り当てに従う設定を行なう。以下、この手順に沿って説明する。
【０１０１】
まずステップｓ１０１で、基地局装置１００は、ＳＲＳを割り当てる帯域幅部分を選択する。そしてステップｓ１０２で、基地局装置１００は、ステップｓ１０１で選択した複数の帯域幅部分の中から最小帯域幅（最小ＢＷ）の帯域幅部分を基準帯域幅部分（基準ＢＰ）として選択する。ステップｓ１０３で、基地局装置１００は、基準帯域幅部分に所定の帯域幅インデックスを設定する。ステップｓ１０４で、基地局装置１００は、基準帯域幅部分に所定の帯域幅レベルを設定する。
ステップｓ１０５で、基地局装置１００は、ステップｓ１０２で選択した基準帯域幅部分と当該基準帯域幅部分におけるＳＲＳ帯域との帯域幅（ＢＷ）比を算出する。つまり、帯域幅比＝基準帯域幅部分のＳＲＳ帯域幅／基準帯域幅部分全体の帯域幅である。
【０１０２】
そして、基地局装置１００は、ステップｓ１０１で選択した各帯域幅部分に対して、帯域幅インデックスと帯域幅レベルを設定する。具体的には、例えば、各々の帯域幅部分における帯域幅部分全体の帯域幅と当該帯域幅部分におけるＳＲＳの帯域幅の比が一定になるように、各帯域幅部分のＳＲＳの帯域幅を設定する。
【０１０３】
ここで、各帯域幅部分に対する具体的な設定方法は次の通りである。本実施形態のＳＲＳ帯域の設定においては、帯域幅部分に共通のリソース割り当て情報は、帯域幅インデックスと、帯域幅レベルと、ステップｓ１０５で算出された帯域幅比である。
基地局装置１００の送信情報制御部１２０は、基準帯域幅部分については、適宜ＳＲＳ帯域を設定する。これにより、基準帯域幅部分の帯域幅に応じた表識別番号と、ＳＲＳ帯域の設定に応じた帯域幅インデックスと帯域幅レベルが決まる。
基地局装置１００の送信情報制御部１２０は、基準帯域幅部分以外の帯域幅部分については、その帯域幅部分の帯域幅と上記の帯域幅比から、ＳＲＳ帯域幅を算出する。つまり、基準帯域幅部分以外の帯域幅部分のＳＲＳ帯域幅＝当該帯域幅部分全体の帯域幅×帯域幅比である。そして、その帯域幅部分の帯域幅に応じたＳＲＳ帯域幅コンフィグレーション表内において、ここで算出されたＳＲＳ帯域幅に相当する帯域幅コンフィグレーションパラメータ情報をみつけ、その帯域幅コンフィグレーションパラメータ情報に対応する帯域幅インデックスと帯域幅レベルとをその帯域幅部分用に設定する。帯域幅比に応じて算出されたＳＲＳ帯域幅に相当する帯域幅コンフィグレーション情報をＳＲＳ帯域幅コンフィグレーション表内において見つける際に、計算上の端数等により丁度同一のＳＲＳ帯域幅を有する帯域幅コンフィグレーションパラメータ情報がみつからなかった場合には、最も近いＳＲＳ帯域幅を有する帯域幅コンフィグレーションパラメータ情報を選択する。また、該当する帯域幅コンフィグレーションパラメータ情報がその表内に複数存在する場合には、例えば、最も大きい帯域幅レベルを有する帯域幅コンフィグレーションパラメータ情報を選択し、それでも該当する帯域幅コンフィグレーションパラメータ情報が複数存在する場合には、最も小さい帯域幅インデックスを有する帯域幅コンフィグレーションパラメータ情報を選択する。
【０１０４】
これを、具体例により説明する。基準帯域幅部分の帯域幅が２０リソースブロックであり（つまり、このときは表２が選択され、これに対応する表識別番号が決まる）、その基準帯域幅部分のＳＲＳ帯域の設定において、帯域幅レベルがｂ＝３であって帯域幅インデックスが０であるとき、対応する帯域幅コンフィグレーションパラメータ情報におけるＳＲＳ帯域幅（ｍＳＲＳ，ｂ）は４リソースブロックである。つまり、この基準帯域幅部分の全体の帯域幅に対するＳＲＳ帯域幅の比は「０．２」（＝２０分の４）である。このとき、基準帯域幅部分以外のある帯域幅部分の帯域幅が６０リソースブロックであった場合、上記の帯域幅比（「０．２」）を用いて、この帯域幅部分のＳＲＳ帯域幅は１２（＝６０＊０．２）と算出される。そして、ＳＲＳ帯域幅以外（例えば、表識別番号、帯域幅インデックス、帯域幅レベルおよび帯域幅コンフィグレーションパラメータである周波数ホッピングパラメータ）の種々のパラメータについては、基準帯域幅部分と同じものを使用する。即ち、前記基準帯域幅部分以外のある帯域幅部分において移動局装置で新たに算出する必要があるのはＳＲＳ帯域幅のみである。
【０１０５】
なお、ここで基地局装置１００が帯域幅インデックスと帯域幅レベルを設定する際には、当該基地局装置のセル内の通信状況（セル内の移動局装置の数や、セル内の移動局装置の分布状況（移動局装置が、基地局装置から近い位置に多いか、基地局装置から遠い位置に多いかなど）、使用されている周波数帯域幅、スケジューリングなど）に応じた適切な値を基地局装置１００が選択して設定する。例えば、基地局装置１００は、移動局装置が利用できる帯域幅の広さに応じて帯域幅インデックスを決定する。また例えば、基地局装置１００は、１つの移動局装置が１つの帯域幅部分を占有することができ且つその移動局装置が基地局装置１００から近い位置にいる場合には小さい帯域幅レベルの値（ｂ＝０など）を設定し、移動局装置が１つの帯域幅部分を他の移動局装置と共有したり或いは移動局装置が基地局装置１００から遠い位置にいる場合には大きい帯域幅レベルの値（ｂ＝３など）を設定する。
【０１０６】
そして、ステップｓ１０６で、基地局装置１００の送信情報制御部１２０は、周波数ホッピングオプション１〜３のいずれかを選択する。この周波数ホッピングオプションについては後述する。
そして、Ｌ１０１で、基地局装置１００は、リソース割り当て情報（ここでは、上記の帯域幅比と、上記の帯域幅インデックスと、上記の帯域幅レベル）と、ステップｓ１０６で選択した周波数ホッピングオプションの情報とを、移動局装置２００に対して送信する。
【０１０７】
これを受けて移動局装置２００は、ステップｓ１０７で、基準帯域幅部分の帯域幅に基づき基準帯域幅部分の表識別番号を設定する。そして、移動局装置２００は、受信したリソース割り当て情報に基づき、ステップｓ１０８で、基準帯域幅部分以外の各帯域幅部分に対して、基準帯域幅部分と同じ表識別番号と帯域幅インデックスと帯域幅レベルとを設定する。そして、移動局装置２００は、ステップｓ１０９で、各帯域幅部分のＳＲＳ帯域幅（ＳＲＳ−ＢＷ）を設定する。つまり、移動局装置２００は、基準帯域幅部分以外の帯域幅と基準帯域幅部分の帯域幅比とを基に、基準帯域幅部分以外の帯域幅部分のＳＲＳ帯域幅を設定する。この設定における手順は、基地局装置１００側の動作として説明したＳＲＳ帯域幅設定の手順と同様である。
そしてステップｓ１１０で、移動局装置２００は上記各情報および設定を基に、各帯域幅部分のＳＲＳを生成する。
そして、Ｌ１０２で、移動局装置２００は、基地局装置１００に対してＳＲＳを送信する。
【０１０８】
上のステップｓ１０６で述べたように、基地局装置１００は、ＳＲＳの周波数ホッピングオプションを選択する。以下に、本実施形態におけるＳＲＳの周波数ホッピング方法の説明を行なう。
【０１０９】
図９、図１０、図１１は、それぞれ、本実施形態によるＳＲＳの周波数ホッピングオプション１から３までを示した概略図である。説明の簡便化のため、これらの図は、帯域幅部分の数が２個の場合を示している。また、これらの図において、横軸方向は周波数に対応し、縦軸方向は時刻（時間的推移）に対応している。また、これらの図において、ハッチングなしのリソース領域はＰＵＳＣＨであり、ドットによるハッチングのリソース領域はＰＵＣＣＨであり、斜線によるハッチングのリソース領域はＳＲＳ用の帯域である。また、同図の中の丸付き数字は、ＳＲＳ用の周波数帯域の時間的推移の段階（順序）を表わす。
【０１１０】
図９に示す周波数ホッピングオプション１では、まず、ＢＰ１に割り当てられるＳＲＳがＢＰ１のＰＵＳＣＨの周波数帯域全体を順次カバーするように、段階１〜３の順に周波数ホッピング（ＦＨ：Ｆｒｅｑｕｅｎｃｙ  Ｈｏｐｐｉｎｇ）を行ってから、次にＢＰ２に移り（段階４）、段階４〜６の順にＢＰ２に割り当てられたＳＲＳの周波数ホッピングを行なう。そして、ＢＰ２の帯域全体を順次カバーした後、再びＢＰ１に移り（段階７）、再度ＢＰ１の帯域に対して周波数ホッピングが行なっていく。
なお、ＢＰ３が存在する場合には、上記のＢＰ２の帯域全体を順次カバーした後、今度はＢＰ３を順次カバーし、その後に再びＢＰ１に移る。
【０１１１】
図１０に示す周波数ホッピングオプション２では、まずＢＰ１に含まれる１番目の帯域をＳＲＳのために使用し（段階１）、次にＢＰ２に移って（段階２）ＢＰ２に含まれる１番目の帯域を使用し、次にＢＰ１に戻って（段階３）ＢＰ１に含まれる次の帯域を使用し、次に再度ＢＰ２に移って（段階４）ＢＰ２に含まれる次の帯域を使用する。以後も同様に、ＢＰ１とＢＰ２を交互に周波数ホッピングしながら、ＢＰ１およびＢＰ２の全ての帯域をカバーするまでホッピングを繰り返す。その後は、段階７でＢＰ１の最初の帯域に戻り、以後も同様の周波数ホッピングを繰り返す。
なお、ＢＰ３が存在する場合には、上記のＢＰ２に含まれる１番目の帯域を使用した後に、ＢＰ３に含まれる１番目の帯域を使用し、次にＢＰ１の次の帯域に戻り、以後これを繰り返す。
【０１１２】
図１１に示す周波数ホッピングオプション３では、ＢＰ１内およびＢＰ２内のそれぞれにおいて割り当てられたＳＲＳが順次同時に周波数ホッピングを行なう。
なお、ＢＰ３が存在する場合も、順次同時に周波数ホッピングを行なうことは同様である。
【０１１３】
上記の周波数ホッピングオプション１や２の方法のように、複数の帯域幅部分に跨る順序を規定するような周波数ホッピング方法の場合には、帯域幅部分に割り当てられたＳＲＳの周波数ホッピングの順番を基地局装置が決定し、その情報が移動局装置に送信される。このようにマッピングおよび周波数ホッピングする場合には、ある時点でＳＲＳ１個を送信するため、ＥＵＴＲＡにおけるＳＲＳに関する仕様との互換性を保障しながら、Ａｄｖａｎｃｅｄ  ＥＵＴＲＡの仕様にも対応することが可能である。
上記の周波数ホッピングオプション３の方法のように、複数の帯域幅部分それぞれで同時に周波数ホッピングをする場合には、連続した周波数帯域にＳＲＳをマッピングおよび周波数ホッピングを行なったのと同様である。
【０１１４】
基地局装置１００は、自装置がカバーするセル内の移動局装置や周辺環境の通信状況に応じて、周波数ホッピングオプション１から３までのいずれかを指定して、その周波数ホッピング情報をスケジューリング情報と共に、移動局装置へと送信する。一例としては、帯域幅部分がお互いに比較的に近い帯域にある場合には基地局装置はオプション１を指定し、帯域幅部分が互いに比較的遠い帯域にある場合には基地局装置はオプション２を指定し、複数のＳＲＳを同時に割り当てても大丈夫な状況（例えば、システム全体でのデータトラフィック量が小さく、一時点で比較的大きな帯域をＳＲＳ用に割り当てても良い状況など）の場合には基地局装置はオプション３を指定する。なお、基地局装置が報知情報チャネルを用いてホッピング方法の情報を通知するようにしても良い。また、予めシステムで一意に周波数ホッピング方法が決められていて、基地局装置および移動局装置がそれに従って周波数ホッピングを行なうようにしても良い。
【０１１５】
移動局装置２００の参照信号制御部２３０は、基地局装置から送信されたＳＲＳマッピング情報を基に、ＳＲＳコンフィグレーションを設定する。すなわち、割り当てられた複数の帯域幅部分のうち、最小の帯域幅となる周波数帯域のコンフィグレーションを基に、残りの周波数帯域幅ごとのＳＲＳコンフィグレーションを移動局装置が自律的に設定する。このとき、移動局装置２００は、最小帯域幅を有する帯域幅部分の帯域情報のみを基地局装置１００から受信するが、他の帯域幅部分についても、基地局装置１００が用いたのと同一のアルゴリズムでＳＲＳ用の帯域を決定する。
例えば、最小帯域幅を有する帯域幅部分の周波数帯域幅が５ＭＨｚで、残りの帯域幅部分それぞれの周波数帯域幅が２０ＭＨｚである場合、両帯域幅部分間の帯域幅の比は５ＭＨｚ：２０ＭＨｚ＝１：４であるため、この比例関係を満たす５ＭＨｚのＳＲＳコンフィグレーション情報の中からＳＲＳ帯域幅のみを取り出し、２０ＭＨｚの帯域幅部分に対しては５ＭＨｚの帯域幅部分の４倍のＳＲＳ帯域幅を割り当てる。ＳＲＳ帯域幅以外のパラメータ（例えば表１に示した周波数ホッピング演算パラメータや帯域幅レベルなど）については帯域幅部分の帯域幅に係わらず、共通のパラメータ値を使用する。
【０１１６】
移動局装置２００は、基地局装置１００から送信された周波数ホッピング方法とＳＲＳマッピング方法の情報を基に、参照信号制御部２１３にてＳＲＳを生成する。つまり既に説明したリソースマッピングにより、ＰＵＳＣＨが用いる周波数帯域における所定の時間帯（所定のシンボルのタイミング）にＳＲＳを送信する。移動局装置の送信部２４０は、送信データや制御データと共に、時間的に多重化されたＳＲＳを基地局装置に対して送信する。
【０１１７】
なお、本実施形態においては、基地局装置１００側で帯域幅比を算出し、その帯域幅比を基地局装置１００から移動局装置２００に送信し、移動局装置２００側でその帯域幅比を用いた計算を行なっているが、その代わりに、帯域幅比の算出自体を移動局装置２００側で行うようにしても良い。
【０１１８】
＜第２の実施形態＞
次に、本発明の第２の実施形態について説明する。第２の実施形態における機器の機能構成は、第１の実施形態において示したものと同様であるので、ここではその説明を省略する。
【０１１９】
第２の実施形態では、特に、最小帯域幅の帯域幅部分を最初に選択してその帯域幅部分を基準とするのではなく、複数の帯域幅部分の中から任意に指定した帯域幅部分の帯域幅を基準として、各帯域幅部分のＳＲＳのリソース割り当て（マッピング）を設定する。
【０１２０】
本実施形態においては、基地局装置の送信情報制御部１２０は、複数の帯域幅部分から予め定められた最大上りリンク送信周波数帯域幅を超えない帯域幅を有する帯域幅部分を基準帯域幅部分として選択し、当該基準帯域幅部分の全体の帯域幅と当該基準帯域幅部分における参照信号用帯域の帯域幅との比率である帯域幅比を算出し、算出された帯域幅比に基づいて複数の帯域幅部分の帯域幅に応じた当該帯域幅部分における参照信号用帯域の割り当てを行なう。
また、移動局装置の参照信号制御部２３０は、複数の帯域幅部分から予め定められた最大上りリンク送信周波数帯域幅を超えない帯域幅を有する帯域幅部分を基準帯域幅部分として選択し、当該基準帯域幅部分に対応する帯域幅区分情報と受信した帯域幅レベルおよび帯域幅インデックスを用いて帯域幅コンフィグレーション表記憶部から読み出した帯域幅コンフィグレーションパラメータ情報によって当該基準帯域幅部分についての参照信号用帯域の割り当てを行なうとともに、基準帯域幅部分以外の帯域幅部分の帯域幅と受信した帯域幅比に応じて基準帯域幅部分以外の帯域幅部分についての参照信号用帯域の割り当てを行なう。
【０１２１】
図１２は、本実施形態におけるＳＲＳリソースの割り当て（マッピング）とＳＲＳ送信の詳細手順を示すシーケンス図である。以下、この手順に沿って説明する。
まずステップｓ２０１で、基地局装置１００は、ＳＲＳを割り当てることが可能な複数の帯域幅部分を選択する。次にステップｓ２０２で、基地局装置１００は、ステップｓ２０１において選択した複数の帯域幅部分の中から、対応するＳＲＳ帯域幅コンフィグレーション表を有する帯域幅部分（つまりその帯域幅部分の帯域幅に対応するＳＲＳ帯域幅コンフィグレーション表が存在する）を１つ選択し、これを基準帯域幅部分とする。第１の実施形態の場合と異なり、本実施形態では、選択される基準帯域幅部分が必ずしも最小帯域幅を有するとは限らない。
次にステップｓ２０３で、基地局装置１００は、基準帯域幅部分に所定の帯域幅インデックスを設定する。次にステップｓ２０４で、基地局装置１００は、基準帯域幅部分に所定の帯域幅レベルを設定する。
次にステップｓ２０５で、基地局装置１００は、ステップｓ２０２で選択された基準帯域幅部分と当該基準帯域幅部分におけるＳＲＳ帯域との帯域幅（ＢＷ）比を求める。
【０１２２】
そして、基地局装置１００は、ステップｓ２０１で選択した各帯域幅部分に対して、上述の帯域幅比に基づいて、所定の帯域幅インデックスと帯域幅レベルを設定する。基準帯域幅部分の選択のしかたが第１の実施形態の場合とは異なるものの、この各帯域幅部分への帯域幅インデックスおよび帯域幅レベルの設定の処理自体は、第１の実施形態における処理と同じであるため、ここでは具体的な設定方法の詳細な説明を省略する。
なお、本実施形態のＳＲＳ帯域の設定においても、帯域幅部分に共通のリソース割り当て情報は、帯域幅インデックスと、帯域幅レベルと、ステップｓ２０５で算出された帯域幅比である。
そして、ステップｓ２０６で、基地局装置１００の送信情報制御部１２０は、周波数ホッピングオプション１〜３のいずれかを選択する。
【０１２３】
そして、Ｌ２０１で、基地局装置１００は、リソース割り当て情報（ここでは、上記の帯域幅比と、上記の帯域幅インデックスと、上記の帯域幅レベル）と、ステップｓ２０６で選択した周波数ホッピングオプションの情報とを、移動局装置２００に対して送信する。またこのとき、基地局装置１００は、必要に応じて基準帯域幅部分の選択に関する情報（周波数位置や帯域幅など）を送信する。
【０１２４】
これを受けて移動局装置２００は、ステップｓ２０７で、基準帯域幅部分の帯域幅に基づき基準帯域幅部分の表識別番号を設定する。そして、移動局装置２００は、受信したリソース割り当て情報に基づき、ステップｓ２０８で、基準帯域幅部分以外の各帯域幅部分に対して、基準帯域幅部分と同じ表識別番号と帯域幅インデックスと帯域幅レベルとを設定する。そして、移動局装置２００は、ステップｓ２０９で、各帯域幅部分のＳＲＳ帯域幅を設定する。この設定において、基準帯域幅部分の選び方は基地局装置側と同じである。また、各帯域幅部分のＳＲＳ帯域幅の設定の手順も、基地局装置１００側の動作として処理手順と同様である。すなわち、割り当てられた複数の帯域幅部分のうち、指定された基準帯域幅部分のコンフィグレーションと帯域幅比を基に、他の帯域幅部分それぞれのＳＲＳコンフィグレーションを移動局装置が自律的に設定する。そしてステップｓ２１０で、移動局装置２００は上記各情報を基に、各帯域幅部分のＳＲＳを生成する。
そして、Ｌ２０２で、移動局装置２００は、基地局装置１００に対してＳＲＳを送信する。
なお、本実施形態における周波数ホッピングについては、第１の実施形態で説明したものと同様である。
【０１２５】
第２の実施形態では、基準帯域幅部分として必ずしも最小帯域幅の帯域幅部分を選択する必要がないため、より柔軟に設定を行なうことができる。
【０１２６】
＜第３の実施形態＞
次に、本発明の第３の実施形態について説明する。第３の実施形態における機器の機能構成は、第１の実施形態において示したものと同様であるので、ここではその説明を省略する。
【０１２７】
第３の実施形態を適用するのは、特に、ＳＲＳを割り当てることが可能な帯域幅部分の帯域幅が、ＳＲＳコンフィグレーションが設定されている上りリンク最大周波数帯域幅までであるような移動通信システムである。例えば、ＥＵＴＲＡ仕様においては上りリンク最大周波数帯域幅は２０ＭＨｚ以下である。本実施形態には、以下に説明するように基本形態と変形例１〜３が存在する。
【０１２８】
＜第３の実施形態  基本形態＞
本実施形態の本基本形態では、基地局装置の送信情報制御部１２０は、複数の帯域幅部分のうち最小の帯域幅を有する帯域幅部分を基準帯域幅部分として選択し、当該基準帯域幅部分について参照信号用帯域の割り当てを行ない、基準帯域幅部分における参照信号用帯域の割り当てに関する帯域幅レベルおよび帯域幅インデックスを、複数の帯域幅部分のうちの他の帯域幅部分にも適用することによって当該他の帯域幅部分についての参照信号用帯域の割り当てを行なう。
また、移動局装置の参照信号制御部２３０は、複数の帯域幅部分のうち最小の帯域幅を有する帯域幅部分を基準帯域幅部分として選択し、当該基準帯域幅部分に対応する帯域幅区分情報と受信した帯域幅レベルおよび帯域幅インデックスを用いて帯域幅コンフィグレーション表記憶部から読み出した帯域幅コンフィグレーションパラメータ情報によって当該基準帯域幅部分についての参照信号用帯域の割り当てを行なうとともに、他の帯域幅部分の各々に対応する帯域幅区分情報と受信した帯域幅レベルおよび帯域幅インデックスを用いて帯域幅コンフィグレーション表記憶部から読み出した帯域幅コンフィグレーションパラメータ情報によって当該帯域幅部分についての参照信号用帯域の割り当てを行なう。
【０１２９】
図１３は、本実施形態の基本形態における処理の詳細手順を示したシーケンス図である。以下、この図に沿って説明する。
ステップｓ３０１で、基地局装置１００は、ＳＲＳを割り当てることが可能な帯域幅部分を選択する。次にステップｓ３０２で、基地局装置１００は、ステップｓ００１で選択した複数の帯域幅部分の中から最小の帯域幅（ＢＷ）を有する帯域幅部分を基準帯域幅部分として選択する。ステップｓ３０３で、基地局装置１００は、基準帯域幅部分に所定の帯域幅インデックスを設定する。ステップｓ３０４で、基地局装置１００は、基準帯域幅部分に所定の帯域幅レベルを設定する。
【０１３０】
そして、基地局装置１００は、ステップｓ３０１で選択した各帯域幅部分に対して、帯域幅インデックスと帯域幅レベルを設定する。本実施形態の基本形態では、基準帯域幅部分に対して設定した帯域幅インデックスと帯域幅レベルを、そのまま他の帯域幅部分にも設定する。
【０１３１】
ここで、各帯域幅部分への帯域幅インデックスと帯域幅レベルの具体的な設定方法は次の通りである。本実施形態の基本形態でのＳＲＳ帯域の設定においては、帯域幅部分に共通のリソース割り当て情報は、帯域幅インデックスと、帯域幅レベルである。
基地局装置１００の送信情報制御部１２０は、基準帯域幅部分については、適宜ＳＲＳ帯域を設定する。これにより、基準帯域幅部分の帯域幅に応じた表識別番号と、ＳＲＳ帯域の設定に応じた帯域幅インデックスと帯域幅レベルが決まる。
基地局装置１００の送信情報制御部１２０は、基準帯域幅部分以外の帯域幅部分については、基準帯域幅部分について上で決定した帯域幅インデックスと帯域幅レベルとを用いる。このとき、帯域幅部分の帯域幅に応じたＳＲＳ帯域幅コンフィグレーション表を用い、そのＳＲＳ帯域幅コンフィグレーション表において当該帯域幅レベルおよび当該帯域幅インデックスによって特定されるエントリーの帯域幅コンフィグレーションパラメータ情報を使用する。
これを、具体例により説明する。基準帯域幅部分の帯域幅が５０リソースブロックであり（つまり、このときは表３が選択され、これに対応する表識別番号が決まる）、その基準帯域幅部分のＳＲＳ帯域の設定において、帯域幅レベルがｂ＝２であって帯域幅インデックスが０であるとき、対応する帯域幅コンフィグレーションパラメータ情報におけるＳＲＳ帯域幅（ｍＳＲＳ，ｂ）は１２リソースブロックであり、ＳＲＳ周波数ホッピング演算パラメータ（Ｎｂ）は２である。そして、基準帯域幅部分以外のある帯域幅部分の帯域幅が８０リソースブロックであった場合（つまり、この帯域幅部分に対応するＳＲＳ帯域幅コンフィグレーション表は表４である）、上記の帯域幅レベル（ｂ＝２）と帯域幅インデックス（０）とを用いてＳＲＳ帯域幅コンフィグレーション表（表４）を検索する。表４において、当該帯域幅レベル（ｂ＝２）と当該帯域幅インデックス（０）に該当する帯域幅コンフィグレーションパラメータ情報としては、ＳＲＳ帯域幅（ｍＳＲＳ，ｂ）は１２リソースブロックであり、ＳＲＳ周波数ホッピング演算パラメータ（Ｎｂ）は２である。当該帯域幅部分においてはこの帯域幅コンフィグレーションパラメータ情報を用いた設定が行なわれる。また当該帯域幅部分に関しては、基地局装置１００は、帯域幅レベルとしてｂ＝２、帯域幅インデックスとして０をそれぞれ設定する。
【０１３２】
そして、ステップｓ３０５で、基地局装置１００の送信情報制御部１２０は、周波数ホッピングオプション１〜３のいずれかを選択する。
【０１３３】
そして、Ｌ３０１で、基地局装置１００は、リソース割り当て情報（ここでは、上記の帯域幅インデックスと、上記の帯域幅レベル）と、上で選択した周波数ホッピングオプションの情報とを、移動局装置２００に対して送信する。
【０１３４】
これを受けて移動局装置２００は、ステップｓ３０６で、各帯域幅部分の帯域幅に基づき、それぞれの帯域幅部分に対応する表識別番号を設定する。そして、移動局装置２００は、受信したリソース割り当て情報に基づき、ステップｓ３０７で、各帯域幅部分の帯域幅に関わらず、基地局装置側から受信した帯域幅インデックスおよび帯域幅レベルをそのまま各帯域幅部分に適用し、ＳＲＳ帯域幅を設定する。すなわち、割り当てられた複数の帯域幅部分のうち、基準帯域幅部分のコンフィグレーションを基に、残りの帯域幅部分ごとのＳＲＳコンフィグレーションを移動局装置が自律的に設定する。このＳＲＳ帯域幅の設定の手順は、基地局装置１００側の動作として説明したＳＲＳ帯域幅の設定の手順と同様である。
そしてステップｓ３０８で、移動局装置２００は上記各情報を基に、各帯域幅部分のＳＲＳを生成する。
そして、Ｌ３０２で、移動局装置２００は、基地局装置１００に対してＳＲＳを送信する。
なお、本形態における周波数ホッピングについては、第１の実施形態で説明したものと同様である。
【０１３５】
＜第３の実施形態  変形例１＞
本実施形態の変形例１では、基地局装置の送信情報制御部１０２は、予め定められた最大上りリンク送信周波数帯域幅を超えない帯域幅を有する複数の帯域幅部分を選択し、これら複数の帯域幅部分に対して、帯域幅コンフィグレーション表記憶部に保持されている共通の帯域幅コンフィグレーションパラメータ情報を適用することにより、これら複数の帯域幅部分についての参照信号用帯域の割り当てを行なう。
また、移動局装置の参照信号制御部２３０は、予め定められた最大上りリンク送信周波数帯域幅を超えない帯域幅を有する複数の帯域幅部分を選択し、これら複数の帯域幅部分の各々に対して、受信した前記帯域幅コンフィグレーションパラメータ情報をそのまま適用することにより、各帯域幅部分についての参照信号用帯域の割り当てを行なう。
【０１３６】
図１４は、本実施形態の変形例１における処理の詳細手順を示したシーケンス図である。以下、この図に沿って説明する。
ステップｓ４０１で、基地局装置１００は、ＳＲＳを割り当てることが可能な帯域幅部分を選択する。
【０１３７】
次にステップｓ４０２で、基地局装置１００は、選択した帯域幅部分の帯域幅から、各帯域幅部分の表識別番号を設定する。
次にステップｓ４０３で、基地局装置１００は、各帯域幅部分に対応するＳＲＳ帯域幅コンフィグレーション表を検索することによって共通する帯域幅コンフィグレーションパラメータ情報を検索し、得られた帯域幅コンフィグレーションパラメータ情報を設定する。
【０１３８】
ステップｓ４０３における具体的な設定方法は次の通りである。本実施形態の変形例１でのＳＲＳ帯域の設定においては、帯域幅部分に共通のリソース割り当て情報は、帯域幅コンフィグレーションパラメータ情報（表２〜表５の例では、ＳＲＳ帯域幅とＳＲＳ周波数ホッピング演算パラメータ）である。
基地局装置１００の送信情報制御部１２０は、適宜、帯域幅コンフィグレーションパラメータ情報を選択する。但し、このときの帯域幅コンフィグレーションパラメータ情報としては、ＳＲＳ帯域幅の設定の対象となる全ての帯域幅部分に対応するＳＲＳ帯域幅コンフィグレーション表のエントリーに存在するような帯域幅コンフィグレーションパラメータ情報が選択される。そして、基地局装置１００の送信情報制御部１２０は、対象とする帯域幅部分に対応するＳＲＳ帯域幅コンフィグレーション表を検索し、当該帯域幅コンフィグレーションパラメータ情報を有するエントリーを特定する。但しこのとき、検索対象としているＳＲＳ帯域幅コンフィグレーション表の中に同じ帯域幅コンフィグレーションパラメータ情報が複数エントリー存在した場合には、帯域幅インデックスが大きい方のエントリーを選択する。またさらに、当該帯域幅インデックス内に同じ帯域幅コンフィグレーションパラメータ情報が複数エントリー存在した場合には、帯域幅レベルが大きい方のエントリーを選択する。
これを具体例により説明する。ＳＲＳ帯域幅の設定対象となる帯域幅部分が複数存在し、それら帯域幅部分の少なくともいずれかが、表２〜表５のそれぞれに対応する場合（つまり、表２〜表５の対象となる帯域幅を有する帯域幅部分がそれぞれ少なくとも１つ存在する場合）であって、且つ基地局装置１００の送信情報制御部１２０が決定した帯域幅コンフィグレーションパラメータ情報としてＳＲＳ帯域幅（ｍＳＲＳ，ｂ）が１６リソースブロックであってＳＲＳ周波数ホッピング演算パラメータ（Ｎｂ）が２であるときの、基地局装置１００の送信情報制御部１２０の処理手順は次の通りである。即ち、表２に関しては、そのような帯域幅コンフィグレーションパラメータ情報を有するエントリーは、帯域幅レベルがｂ＝１で、帯域幅インデックスが１の場合のみである。よって、基地局装置１００の送信情報制御部１２０は、この表に対応する帯域幅部分に関しては、当該帯域幅レベルおよび当該帯域幅インデックスによって設定を行なう。また、表３に関しては、そのような帯域幅コンフィグレーションパラメータ情報を有するエントリーは、帯域幅レベルがｂ＝１で、帯域幅インデックスが４の場合のみである。よって、基地局装置１００の送信情報制御部１２０は、この表に対応する帯域幅部分に関しては、当該帯域幅レベルおよび当該帯域幅インデックスによって設定を行なう。また、表４に関しては、そのような帯域幅コンフィグレーションパラメータ情報を有するエントリーは複数存在し、それらのエントリーのうち帯域幅インデックスが大きい方のエントリーは、帯域幅レベルがｂ＝１で、帯域幅インデックスが７の場合である。よって、基地局装置１００の送信情報制御部１２０は、この表に対応する帯域幅部分に関しては、当該帯域幅レベルおよび当該帯域幅インデックスによって設定を行なう。また、表５に関しては、そのような帯域幅コンフィグレーションパラメータ情報を有するエントリーは複数存在し、それらのエントリーのうち帯域幅インデックスが大きい方のエントリーは、帯域幅レベルがｂ＝２で、帯域幅インデックスが４の場合である。よって、基地局装置１００の送信情報制御部１２０は、この表に対応する帯域幅部分に関しては、当該帯域幅レベルおよび当該帯域幅インデックスによって設定を行なう。
【０１３９】
そして、ステップｓ４０４で、基地局装置１００の送信情報制御部１２０は、周波数ホッピングオプション１〜３のいずれかを選択する。
【０１４０】
そして、Ｌ４０１で、基地局装置１００は、リソース割り当て情報（ここでは、各帯域幅部分に共通な上記の帯域幅コンフィグレーションパラメータ情報）と、上で選択した周波数ホッピングオプションの情報とを、移動局装置２００に対して送信する。
これを受けて移動局装置２００は、ステップｓ４０５で、各帯域幅部分の帯域幅に基づき、それぞれの帯域幅部分に対応する表識別番号を設定する。そして、移動局装置２００は、受信したリソース割り当て情報に基づき、ステップｓ４０６で、各帯域幅部分の帯域幅レベルおよび帯域幅インデックスを設定する。すなわち、受信したリソース割り当て情報（ここでは、一種類の帯域幅コンフィグレーションパラメータ情報）に基づき、基地局装置１００側の動作と同様の処理手順により、帯域幅部分ごとのＳＲＳコンフィグレーションを移動局装置が自律的に設定する（各帯域幅部分の帯域幅インデックスと帯域幅レベルとを設定する）。
【０１４１】
そしてステップｓ４０７で、移動局装置２００は上記各情報を基に、各帯域幅部分のＳＲＳを生成する。
そして、Ｌ４０２で、移動局装置２００は、基地局装置１００に対してＳＲＳを送信する。
なお、本形態（変形例１）における周波数ホッピングについては、第１の実施形態で説明したものと同様である。
【０１４２】
＜第３の実施形態  変形例２＞
本実施形態の変形例２では、基地局装置の送信情報制御部１２０は、複数の帯域幅部分のうち最小の帯域幅を有する帯域幅部分を基準帯域幅部分として選択し、当該基準帯域幅部分について参照信号用帯域の割り当てを行ない、基準帯域幅部分についての参照信号用帯域の割り当てに用いた帯域幅コンフィグレーションパラメータ情報を、複数の帯域幅部分のうちの他の帯域幅部分にも適用することによって当該他の帯域幅部分についての参照信号用帯域の割り当てを行なう。
また、移動局装置の参照信号制御部１２０は、受信部２５０が受信したリソース割り当て情報に基づく帯域幅コンフィグレーションパラメータ情報を複数の帯域幅部分の各々に適用することによって各帯域幅部分についての参照信号用帯域の割り当てを行なう。
【０１４３】
図１５は、本実施形態の変形例２における処理の詳細手順を示したシーケンス図である。以下、この図に沿って説明する。
ステップｓ５０１で、基地局装置１００は、ＳＲＳを割り当てることが可能な帯域幅部分を選択する。次にステップｓ５０２で、基地局装置１００は、ステップｓ５０１で選択した帯域幅部分の中から最小の帯域幅（ＢＷ）を有する帯域幅部分を基準帯域幅部分として選択する。そしてステップｓ５０３で、基地局装置１００は、ステップｓ５０２で選択した基準帯域幅部分に対して、適宜、帯域幅インデックスを設定する。そしてステップｓ５０４で、基地局装置１００は、基準帯域幅部分に対して帯域幅レベルを設定する。続いて、基地局装置１００は、上記の基準帯域幅部分に対応する表識別番号とステップｓ５０３およびｓ５０４でそれぞれ設定した帯域幅レベルおよび帯域幅インデックスに基づき、他の帯域幅部分についてＳＲＳ帯域幅を設定する。即ち、上記の表識別番号と帯域幅レベルと帯域幅インデックスによって特定される帯域幅コンフィグレーションパラメータ情報を適用する。つまり、基準帯域幅部分に適用した帯域幅コンフィグレーションパラメータ情報と同一の帯域幅コンフィグレーションパラメータ情報を他の全ての帯域幅部分にも適用する。
【０１４４】
各帯域幅部分へのＳＲＳ帯域幅の具体的な設定方法は次の通りである。本実施形態の変形例２でのＳＲＳ帯域の設定においては、帯域幅部分に共通のリソース割り当て情報は、表識別番号（帯域幅区分情報）と、帯域幅レベルと、帯域幅インデックスである。
基地局装置１００の送信情報制御部１２０は、適宜、基準帯域幅部分について帯域幅レベルと帯域幅インデックスを決定し、この基準帯域幅部分に対応するＳＲＳ帯域幅コンフィグレーション表を検索することによって、当該帯域幅レベルおよび当該帯域幅インデックスに対応する帯域幅コンフィグレーションパラメータ情報を得て、これを基準帯域幅部分に適用する。なお、このとき基準帯域幅部分の帯域幅に応じて表識別番号は一意に決められる。
基地局装置１００の送信情報制御部１２０は、上で基準帯域幅部分について決定された表識別番号と帯域幅レベルと帯域幅インデックスとに基づき、これに対応する帯域幅コンフィグレーションパラメータ情報を他の全ての帯域幅部分についても適用する。
これを具体例により説明する。基準帯域幅部分の帯域幅が６４リソースブロックである場合、この基準帯域幅部分に対応するＳＲＳ帯域幅コンフィグレーション表は表４であり、表識別番号も一意に定まる。基地局装置１００の送信情報制御部１２０が決定した帯域幅レベルがｂ＝０で帯域幅インデックスが５である場合、帯域幅コンフィグレーションパラメータ情報としては、ＳＲＳ帯域幅（ｍＳＲＳ，ｂ）が４０リソースブロックであってＳＲＳ周波数ホッピング演算パラメータ（Ｎｂ）が１である。基地局装置１００の送信情報制御部１２０は、当該表識別番号と当該帯域幅レベルと当該帯域幅インデックスにより、すべての対象の帯域幅部分に対して、ＳＲＳ帯域幅（ｍＳＲＳ，ｂ）としては４０リソースブロックを適用し、ＳＲＳ周波数ホッピング演算パラメータ（Ｎｂ）としては１を適用する。つまり、本実施形態の変形例２の場合には、共通の帯域幅コンフィグレーションパラメータ情報（ＳＲＳ帯域幅およびＳＲＳ周波数ホッピング演算パラメータ）が全ての帯域幅部分に適用される。
【０１４５】
そして、ステップｓ５０５で、基地局装置１００の送信情報制御部１２０は、周波数ホッピングオプション１〜３のいずれかを選択する。なお、本形態（変形例２）における周波数ホッピングオプション１〜３については、第１の実施形態で説明したものと同様である。
そしてステップｓ５０６で、基地局装置１００は、帯域幅部分の帯域幅に応じて周波数ホッピングの周波数位置シフト情報を設定する。周波数位置シフト情報とは、周波数位置シフトを行なうか否かを基地局装置１００が判定した結果を表わすものであり、「シフトを行なう」か「シフトを行なわない」かのいずれかを表わす値をとる。周波数位置シフト情報によってシフトを行なうことが示される場合には、ある帯域幅部分内において周波数ホッピングを行なう周波数範囲を順次シフトしていく。例えば、ｓ５０２で選択した帯域幅部分（最小帯域幅を有する帯域幅部分）の帯域幅が１１．５２０ＭＨｚ（６４リソースブロック）であり、その他の帯域幅部分の帯域幅がそれぞれ２３．０４０ＭＨｚであった場合、周波数ホッピングをする範囲は、最小帯域幅を有する帯域幅部分の帯域幅である１１．５２０ＭＨｚ内のみとなる。ここで周波数位置シフト情報を設定するのは、例えば２３．０４０ＭＨｚの帯域幅を有する帯域幅部分に対しても、その全帯域をカバーしてＳＲＳを送信するようにするためである。つまり、周波数位置シフト情報を設定することにより、２３．０４０ＭＨｚの帯域幅を有する帯域幅部分の中の特定の１１．５２０ＭＨｚの範囲内での周波数ホッピングをし終えたら、周波数位置を１１．５２０ＭＨｚシフトし、シフト後の１１．５２０ＭＨｚの帯域内で次の周波数ホッピングを行なう。このように、必要な回数分周波数位置のシフトを繰り返すことにより、大きな帯域幅を有する帯域幅部分についてもその全帯域をカバーすることが可能となる。
本実施形態の変形例２では、帯域幅の大きい帯域幅部分についても基準帯域幅部分用のＳＲＳ帯域幅が適用される場合があり得るが、そのような場合でも、ここで述べた周波数シフトを行なうことにより、帯域幅の大きい帯域幅部分の全帯域をカバーしながら、移動局装置２００から基地局装置１００へＳＲＳ信号を送信することができるようになる。
【０１４６】
そして、Ｌ５０１で、基地局装置１００は、リソース割り当て情報（ここでは、表識別番号と、帯域幅レベルと、帯域幅インデックス）と、上で設定した周波数位置シフト情報と、上で選択した周波数ホッピングオプションの情報とを移動局装置２００に対して送信する。
【０１４７】
これを受けて移動局装置２００は、ステップｓ５０７で、基準帯域幅部分の帯域幅に基づき基準帯域幅部分の表識別番号を設定する。そして、ステップｓ５０８で、移動局装置２００は、基地局装置側から受信したリソース割り当て情報に基づき、各帯域幅部分に対して、基準帯域幅部分と同じ表識別番号と、帯域幅インデックスと帯域幅レベルとを適用する。すなわち、リソース割り当て情報に基づき、帯域幅部分ごとのＳＲＳコンフィグレーションを移動局装置が自律的に設定する。なお、このとき、移動局装置２００は、下で説明する周波数位置シフトを行なうための制御も実行する。そしてステップｓ５０９で、移動局装置２００は上記各情報を基に、各帯域幅部分のＳＲＳを生成する。
そして、Ｌ５０２で、移動局装置２００は、基地局装置１００に対してＳＲＳを送信する。
【０１４８】
なお、本実施形態の変形例２のさらなる変形として、各帯域幅部分に共通のリソース割り当て情報として、上記の表識別番号と帯域幅レベルと帯域幅インデックスのセットを用いる代わりに、帯域幅コンフィグレーションパラメータ情報そのものを用いても良く、この場合も、基地局装置１００側と移動局装置２００側の両方で、共通の帯域幅コンフィグレーションパラメータ情報（ＳＲＳ帯域幅およびＳＲＳ周波数ホッピング演算パラメータ）が全ての帯域幅部分に適用されることとなる。
【０１４９】
図１６は、上記の周波数位置シフトの具体例を示す概略図である。同図において、縦軸は時間を表わし、横軸は周波数を表わす。そして、斜線のハッチングで示す領域が、ＳＲＳ用の領域である。参照信号制御部は、受信部が受信した周波数位置シフト情報に基づいて、周波数ホッピングを行なう周波数の範囲を帯域幅部分内においてシフトさせる。同図（ａ）に示すように、帯域幅１１．５２０ＭＨｚのＢＰ１と、帯域幅２３．０４０ＭＨｚのＢＰ２とが存在する。ＢＰ１については、周波数ホッピングすることにより、記号Ａで示す帯域全体がカバーされ、ＳＲＳ送信に用いられる。一方で、ＢＰ２については、変形例２の方式では当初は記号Ｂで示す帯域が周波数ホッピングによりカバーされるが、記号Ｃで示す帯域は当初は周波数ホッピングの範囲外であるためにＳＲＳ送信には用いられない。そして、所定回数の周波数ホッピングが行なわれた後（図示する例では３周期経過後）には、同図（ｂ）に示すように、ＢＰ２における周波数位置のシフトが行なわれる。そして、記号Ｃで示す帯域をカバーするように周波数ホッピングが行なわれ、従って所定時間を通してみたときにはＢＰ１だけでなくＢＰ２の中のＳＲＳ割り当てが可能な全ての帯域がカバーされる。
【０１５０】
＜第３の実施形態  変形例３＞
本実施形態の変形例３では、基地局装置の送信情報制御部１２０は、複数の帯域幅部分の各々について、共通の前記帯域幅コンフィグレーションパラメータ情報を適用することによって参照信号用帯域の割り当てを行なう。
また、移動局装置の参照信号制御部２３０は、割り当て情報受信部が受信した当該帯域幅区分情報と当該帯域幅インデックスと当該帯域幅レベルとを用いて帯域幅コンフィグレーション表記憶部から帯域幅コンフィグレーションパラメータ情報を読み出し、各々の帯域幅部分に対応する帯域幅区分情報に対応付けて帯域幅コンフィグレーション表記憶部を検索することにより当該帯域幅コンフィグレーションパラメータ情報に対応する当該帯域幅部分用の帯域幅インデックスおよび帯域幅レベルを特定し、これによって特定された帯域幅インデックスおよび帯域幅レベルを用いて当該帯域幅部分について参照信号用帯域の割り当てを行なう。
【０１５１】
図１７は、本実施形態の変形例３における処理の詳細手順を示したシーケンス図である。以下、この図に沿って説明する。
ステップｓ６０１で、基地局装置１００は、ＳＲＳを割り当てることが可能な帯域幅部分を選択する。次にステップｓ６０２で、基地局装置１００は、ｓ６０１で選択した複数の帯域幅部分の中から最小帯域幅を有する帯域幅部分を基準帯域幅部分として選択する。そして、ステップｓ６０３とステップｓ６０４ではそれぞれ、基地局装置１００は、基準帯域幅部分に対して所定の帯域幅インデックスと帯域幅レベルを設定する。
【０１５２】
そして、基地局装置１００は、基準帯域幅部分以外の各帯域幅部分に対して帯域幅インデックスと帯域幅レベルとを設定する。本実施形態の変形例３でのＳＲＳ帯域の設定においては、帯域幅部分に共通のリソース割り当て情報は、表識別番号と、帯域幅インデックスと、帯域幅レベルである。
基地局装置１００の送信情報制御部１２０は、基準帯域幅部分については、適宜ＳＲＳ帯域を設定する。これにより、基準帯域幅部分の帯域幅に応じた表識別番号と、ＳＲＳ帯域の設定に応じた帯域幅インデックスと帯域幅レベルが決まる。
基地局装置１００の送信情報制御部１２０は、基準帯域幅部分以外の帯域幅部分については、次の手順によりＳＲＳ帯域幅の設定を行なう。即ち、送信情報制御部１２０は、まず上で基準帯域幅部分に関して決定された表識別番号と帯域幅インデックスと帯域幅レベルとから特定されている帯域幅コンフィグレーションパラメータ情報を用いる。送信情報制御部１２０は、各々の帯域幅部分に対応するＳＲＳ帯域幅コンフィグレーション表を検索することにより、そのような帯域幅コンフィグレーションパラメータ情報のエントリーが当該表内のどの帯域幅インデックスおよび帯域幅レベルの位置に存在するかを求める。なおこのとき、同じ値を有するエントリーが複数存在する場合には、例えば、最も大きい帯域幅レベルを有する帯域幅コンフィグレーションパラメータ情報を選択し、それでも該当する帯域幅コンフィグレーションパラメータ情報が複数存在する場合には、最も小さい帯域幅インデックスを有する帯域幅コンフィグレーションパラメータ情報を選択する。そして、これにより求められた帯域幅インデックスおよび帯域幅レベルによる設定を行なう。
これを、具体例により説明する。基準帯域幅部分の帯域幅が６４リソースブロックであるとき、この基準帯域幅部分に対応するＳＲＳ帯域幅コンフィグレーション表は表４であり、この表に対応する表識別番号が定まる。そして、この基準帯域幅部分に関して、帯域幅レベルがｂ＝３であって帯域幅インデックスが６であるとき、当該表により、帯域幅コンフィグレーションパラメータ情報としては、ＳＲＳ帯域幅（ｍＳＲＳ，ｂ）が４リソースブロックであり、ＳＲＳ周波数ホッピング演算パラメータ（Ｎｂ）が１である。
上記の基準帯域幅部分に関するＳＲＳ帯域幅設定の後に、他の帯域幅部分についてのＳＲＳ帯域幅の設定を行なう。まず、上記の表識別番号と帯域幅レベルと帯域幅インデックスにより、帯域幅コンフィグレーションパラメータ情報は得られる。そして、当該他の帯域幅部分の帯域幅が１１０リソースブロックであるとき、この帯域幅部分に対応するＳＲＳ帯域幅コンフィグレーション表は表５である。そして、送信情報制御部１２０は、表５を検索し上記基準帯域幅部分についての帯域幅コンフィグレーションパラメータ情報と同じ値（即ち、ＳＲＳ帯域幅（ｍＳＲＳ，ｂ）が４リソースブロックで、ＳＲＳ周波数ホッピング演算パラメータ（Ｎｂ）が１）の位置を探す。そして、当該表内においてそのようなエントリーが存在するのは、帯域幅レベルがｂ＝３で、帯域幅インデックスが５の位置であることが求まる。送信情報制御部１２０は、これらの帯域幅レベルおよび帯域幅インデックスを用いて当該帯域幅部分についてのＳＲＳ帯域幅の設定を行なう。
【０１５３】
そして、ステップｓ６０５で、基地局装置１００の送信情報制御部１２０は、周波数ホッピングオプション１〜３のいずれかを選択する。
そして、Ｌ６０１で、基地局装置１００は、リソース割り当て情報（ここでは、上記の表識別番号と、帯域幅インデックスと、帯域幅レベル）と、ステップｓ６０５で選択した周波数ホッピング情報とを、移動局装置２００に対して送信する。
【０１５４】
これを受けて移動局装置２００は、ステップｓ６０６で、基準帯域幅部分の帯域幅に基づき基準帯域幅部分の表識別番号を設定する。そして、移動局装置２００は、受信したリソース割り当て情報に基づき、ステップｓ６０７で、移動局装置２００は、基準帯域幅部分の帯域幅インデックスと帯域幅レベルとを設定し、基準帯域幅部分の帯域幅コンフィグレーションのパラメータを得る。
そして、ステップｓ６０８で、移動局装置２００は、基準帯域幅部分以外の帯域幅部分の帯域幅に基づきそれぞれの表識別番号を設定する。
そして、ステップｓ６０９で、移動局装置２００は、各帯域幅部分に対して、基準帯域幅部分の帯域幅コンフィグレーションパラメータと一致するパラメータを表から検索する。具体的には、移動局装置２００は、表識別番号で示されるＳＲＳ帯域幅コンフィグレーション表から、当該帯域幅インデックス且つ当該帯域幅レベルの位置の帯域幅コンフィグレーションパラメータ情報を読み出す。そして、その帯域幅コンフィグレーションパラメータ情報と同じ値を有するエントリーを各帯域幅部分に対応するＳＲＳ帯域幅コンフィグレーション表の中で探し、帯域幅レベルおよび帯域幅インデックスを特定する。この処理の詳細な手順は、基地局装置１００側の処理として説明した手順と同様であるので、ここでは詳細な説明を省略する。
そして、ステップｓ６１０で、移動局装置２００は、基準帯域幅部分以外の各帯域幅部分に対して、それぞれの帯域幅インデックスと帯域幅レベルとを設定する。
【０１５５】
そしてステップｓ６１１で、移動局装置２００は上記各情報を基に、各帯域幅部分のＳＲＳを生成する。
そして、Ｌ６０２で、移動局装置２００は、基地局装置１００に対してＳＲＳを送信する。
なお、本形態（変形例３）における周波数ホッピングについては、第１の実施形態で説明したものと同様である。
【０１５６】
ＳＲＳのコンフィグレーションが設定されているのは、帯域幅２０ＭＨｚまでである。以上に説明した第１の実施形態から第３の実施形態までが想定しているシステムは、複数の帯域幅部分の中の少なくともいずれか１つの帯域幅部分が、所定の上限（例えば２０ＭＨｚ）以下の帯域幅を有する帯域幅部分であり、従ってそのような帯域幅部分の中にＥＵＴＲＡのＳＲＳコンフィグレーションに互換なＳＲＳコンフィグレーションが設定可能であるというものである。
但し、実際には、すべての帯域幅部分が上記の所定の上限よりも広い帯域幅を有するようなシステムも想定される。そのようなシステムも考慮した実施形態が、第４の実施形態以降で説明するものである。
【０１５７】
＜第４の実施形態＞
次に、本発明の第４の実施形態について説明する。第４の実施形態における機器の機能構成は、第１の実施形態において示したものと同様であるので、ここではその説明を省略する。
【０１５８】
本実施形態は、ＳＲＳが割り当て可能な周波数帯域において、全ての帯域幅部分の帯域幅がＳＲＳコンフィグレーションが設定されている帯域幅よりも広い帯域幅を有していた場合にも対応可能なＳＲＳのリソース割り当て方法を提供する。
【０１５９】
図１８は、本実施形態におけるＳＲＳのマッピングの手順を示したフローチャートである。以下、この手順に沿って説明する。
基地局装置１００は、まずステップｓ１００１で、帯域幅が最大上りリンク送信周波数帯域幅（ＭａｘＢＷ）以下であるようなＳＲＳのリソース割り当てが可能な帯域幅部分が存在するか否かを判断する。そのような帯域幅部分が存在する場合（ｓ１００１：ＹＥＳ）には、ステップｓ１００２に進む。そのような帯域幅部分が存在しない場合（ｓ１００１：ＮＯ、つまり、ＳＲＳリソース割り当て可能な帯域幅部分の帯域幅が全てＭａｘＢＷを超えている場合）には、ステップｓ１００３に進む。
【０１６０】
ステップｓ１００２では、帯域幅が最大上りリンク送信周波数帯域幅（ＭａｘＢＷ）以下であるような帯域幅部分が存在するため、そのような帯域幅部分を選択することにより、第１、第２、第３、第６、第７の実施形態のいずれかを用いて、ＳＲＳのリソース割り当てを行なう。
【０１６１】
ステップｓ１００３において、基地局装置１００は、ＳＲＳのリソース割り当てが可能な帯域幅部分の中から、１つ若しくは全てを選択する。ここで選択する帯域幅部分は、以下で述べる分割法を適用する帯域幅部分である。そして、ステップｓ１００４において、基地局装置１０００は、仮想帯域幅部分の帯域幅を適宜設定する。このとき、仮想帯域幅部分の帯域幅を、ＭａｘＢＷ以下となるように設定する。そしてステップｓ１００５では、上記の仮想帯域幅部分の帯域幅を用いてステップｓ１００３で選択した帯域幅部分（１つの帯域幅部分又は全ての帯域幅部分）の帯域幅を分割し、その帯域幅部分の残りの帯域幅を求める。残りの帯域幅は、分割前の帯域幅から仮想帯域幅部分の帯域幅を減じたものである。これで、当該帯域幅部分は、仮想帯域幅部分の帯域幅を有する帯域幅部分と、上記の残りの帯域幅を有する帯域幅部分とに分割される。
【０１６２】
そして、ステップｓ１００６では、ステップｓ１００５で求めた残りの帯域幅が前記ＭａｘＢＷ以下であるかどうかを判定する。この残りの帯域幅がＭａｘＢＷ以下であった場合（ステップｓ１００６：ＹＥＳ）には、ステップｓ１００２の処理に進む（つまり、上記の分割によって得られた仮想帯域幅部分を対象として選択することにより、ＳＲＳのリソース割り当てが可能となる）。また、この残りの帯域幅がＭａｘＢＷを超える場合には、ステップｓ１００５の処理に戻る。
このようにステップｓ１００５とｓ１００６との繰り返しにより、ステップｓ１００３で選択された帯域幅部分は、ＭａｘＢＷ以下の帯域幅を有する複数の仮想帯域幅部分に分割される。
【０１６３】
図１９は、分割の具体例を示す概略図である。この例では、ＳＲＳを割り当てることができる帯域幅部分としてステップｓ１００３で選択された帯域幅部分の周波数帯域幅は５０ＭＨｚである。また、基準となる帯域幅部分の帯域幅（ＭａｘＢＷ）が２０ＭＨｚであると設定されている。同図（ａ）は分割前の帯域幅部分（帯域幅は５０ＭＨｚ）である。同図（ｂ）は、その帯域幅部分から２０ＭＨｚ（＝ＭａｘＢＷ）の帯域幅の仮想帯域幅部分が分割され、残りの帯域幅が３０ＭＨｚであってＭａｘＢＷを超えている状態である。同図（ｃ）は、この残りの帯域幅をさらに分割した状態であり、その結果、それぞれ２０ＭＨｚと２０ＭＨｚと１０ＭＨｚの帯域幅を有する３つの仮想帯域幅部分に分割されている。
【０１６４】
そして、基地局装置１００は、上記手順により得られたＳＲＳマッピング情報と、選択された周波数ホッピングオプションの情報とを、送信データや制御データとともに移動局装置２００に対して送信する。なお、周波数ホッピング方法は、報知情報チャネルを用いて通知されていても良く、システムで一意に周波数ホッピング方法が決められていても良い。
これを受けて移動局装置２００は、基地局装置１００から送信されたＳＲＳマッピング情報を基に、ＳＲＳコンフィグレーションを設定する。すなわち、割り当てられた複数の帯域幅部分のうち、指定された周波数帯域のコンフィグレーションを基に、残りの周波数帯域幅ごとのＳＲＳコンフィグレーションを移動局装置が自律的に設定する。
【０１６５】
本実施形態は、周波数帯域を複数の帯域幅部分に分割してＳＲＳを送信する場合だけでなく、不連続な複数の周波数帯域を複合的に用いて１つの広帯域システムとして運用する場合にも適用できる。
【０１６６】
＜第５の実施形態＞
次に、本発明の第５の実施形態について説明する。第５の実施形態における機器の機能構成は、第１の実施形態において示したものと同様であるので、ここではその説明を省略する。
【０１６７】
本実施形態が、上の第４の実施形態と異なる点は、帯域幅の大きい帯域幅部分に１未満の所定数（例えば、０．５など）を乗じることによって、仮想帯域幅部分の帯域幅を算出し、ＭａｘＢＷ（ＥＵＴＲＡの場合は２０ＭＨｚ）以下の帯域幅の仮想帯域幅部分を作る点である。つまり、最大上りリンク送信周波数帯域幅を超える帯域幅を有する帯域幅部分を、２以上の所定の整数で順次均等に分割する。
【０１６８】
図２０は、第５の実施形態におけるＳＲＳのマッピング方法の手順を示したフローチャートである。以下、この手順に沿って説明する。
基地局装置１００は、まずステップｓ１１０１で、帯域幅が最大上りリンク送信周波数帯域幅（ＭａｘＢＷ）以下であるようなＳＲＳのリソース割り当てが可能な帯域幅部分が存在するか否かを判断する。そのような帯域幅部分が存在する場合（ｓ１１０１：ＹＥＳ）には、ステップｓ１１０２に進む。そのような帯域幅部分が存在しない場合（ｓ１１０１：ＮＯ）には、ステップｓ１１０３に進む。
【０１６９】
ステップｓ１１０２では、帯域幅がＭａｘＢＷ以下であるような帯域幅部分が存在するため、そのような帯域幅部分を選択することにより、第１、第２、第３、第６、第７の実施形態のいずれかを用いて、ＳＲＳのリソース割り当てを行なう。
【０１７０】
ステップｓ１１０３において、基地局装置１００は、ＳＲＳのリソース割り当てが可能な帯域幅部分の中から、１つ若しくは全てを選択する。ここで選択する帯域幅部分は、以下で述べる分割法を適用する帯域幅部分である。そして、ステップｓ１１０４において、基地局装置１０００は、所定の分割数を設定する。ここで、分割数は適宜選択される２以上の整数である。そしてステップｓ１１０５では、ステップｓ１１０３で選択した帯域幅部分（１つの帯域幅部分又は全ての帯域幅部分）の帯域幅を、ステップｓ１１０４で設定した分割数で等分する形で、帯域幅部分の分割を行なう。この分割が完了すると、ステップｓ１１０１の処理に戻る。
ＳＲＳのリソース割り当てが可能な帯域幅部分の当初の帯域幅がＭａｘＢＷよりも広い場合であっても、上記の手順によりステップｓ１１０１、ｓ１１０３、ｓ１１０４、ｓ１１０５を含むループを繰り返すことにより、その帯域幅部分はＭａｘＢＷ以下の帯域幅を有する複数の帯域幅部分に分割される。
なお、ステップｓ１１０４で設定される分割数は２以上の整数であるが、分割によって帯域幅部分の帯域幅が最小上りリンク周波数帯域幅未満にならないような分割数を選択するようにする。つまり、（分割前の帯域幅部分の帯域幅）／分割数≧（最小上りリンク周波数帯域幅）となる分割数を選択する。
【０１７１】
図２１は、本実施形態による分割の具体例を示す概略図である。この例では、ＳＲＳを割り当てることができる帯域幅部分としてステップｓ１１０３で選択された帯域幅部分が２つあり、ＢＰ１の帯域幅は５０ＭＨｚ、ＢＰ２の帯域幅は３０ＭＨｚである。また、基準となる帯域幅部分の帯域幅（ＭａｘＢＷ）が２０ＭＨｚであると設定されている。同図（ａ）は分割前のＢＰ１およびＢＰ２を示す。同図（ｂ）は、ＢＰ１およびＢＰ２を分割数２でそれぞれ分割した状態を示す。ＢＰ１を２つに分割したそれぞれの帯域の幅は２５ＭＨｚであり、この帯域幅はまだＭａｘＢＷを超えている。ＢＰ２を２つに分割したそれぞれの帯域幅は１５ＭＨｚであり、これはＭａｘＢＷ以下であるので、これ以上の分割を行なわず仮想ＢＰ２１および２２として用いる。同図（ｃ）は、（ｂ）の状態からさらにＢＰ１側のみを分割数２で分割した状態を示す。この分割の結果、５０ＭＨｚの帯域幅を有していたＢＰ１は、それぞれが１２．５ＭＨｚの帯域幅を有する４つの帯域に分割され、これらは（≦ＭａｘＢＷ以下であるので、仮想ＢＰ１１〜１４として用いることができる。
【０１７２】
そして、基地局装置１００は、上記手順により得られたＳＲＳマッピング情報と、選択された周波数ホッピングオプションの情報とを、送信データや制御データとともに移動局装置２００に対して送信する。なお、周波数ホッピング方法は、報知情報チャネルを用いて通知されていても良く、システムで一意に周波数ホッピング方法が決められていても良い。
これを受けて移動局装置２００は、基地局装置１００から送信されたＳＲＳマッピング情報を基に、ＳＲＳコンフィグレーションを設定する。すなわち、割り当てられた複数の帯域幅部分のうち、指定された周波数帯域のコンフィグレーションを基に、残りの周波数帯域幅ごとのＳＲＳコンフィグレーションを移動局装置が自律的に設定する。
【０１７３】
本実施形態は、周波数帯域を複数の帯域幅部分に分割してＳＲＳを送信する場合だけでなく、不連続な複数の周波数帯域を複合的に用いて１つの広帯域システムとして運用する場合にも適用できる。
【０１７４】
＜第６の実施形態＞
次に、本発明の第６の実施形態について説明する。第６の実施形態における機器の機能構成は、第１の実施形態において示したものと同様であるので、ここではその説明を省略する。
【０１７５】
本実施形態では、基地局装置１００で所定の帯域幅を有する仮想的な帯域幅部分を設定することにより、第１あるいは第２の実施形態と同様に他の帯域幅部分に対しても帯域幅比を求めることができ、複数の帯域幅部分に対して共通のＳＲＳコンフィグレーション情報を適用できる。
【０１７６】
図２２は、第６の実施形態における処理の詳細手順を示したシーケンス図である。以下、この手順に沿って説明する。
まずステップｓ１２０１で、基地局装置１００は、ＳＲＳを割り当て可能な帯域幅部分を選択する。次にステップｓ１２０２で、基地局装置１００は、仮想帯域幅部分の帯域幅を設定する。このとき設定する仮想帯域幅部分の帯域幅は、ＳＲＳコンフィグレーションが設定されている帯域幅の上限を超えない。そしてステップｓ１２０３およびｓ１２０４で、基地局装置１００は、ステップｓ１２０２で設定した仮想帯域幅部分に対して適宜所定のＳＲＳ帯域幅の設定を行なう。具体的には、当該仮想帯域幅部分の帯域幅に対応するＳＲＳ帯域幅コンフィグレーション表を特定し、適宜、帯域幅インデックス及び帯域幅レベルを特定し、それに該当するＳＲＳコンフィグレーションパラメータ情報を用いた設定を行なう。
そしてステップｓ１２０５で、基地局装置１００はステップｓ１２０２で設定した仮想帯域幅部分と当該仮想帯域幅部分におけるＳＲＳ帯域との帯域幅比を算出する。そして、基地局装置１００は、この帯域幅比を用いて、第１の実施形態に記載した処理手順と同様の手順で、上記仮想帯域幅部分以外の帯域幅部分についてのＳＲＳ帯域の設定を行なう。
そして、ステップｓ１２０６で、基地局装置１００の送信情報制御部１２０は、周波数ホッピングオプション１〜３のいずれかを選択する。
【０１７７】
そして、Ｌ１２０１で、基地局装置１００は、リソース割り当て情報（ここでは、上記の帯域幅比と、上記の仮想帯域幅部分に関する帯域幅インデックスおよび帯域幅レベル）と、ステップｓ１２０５で選択した周波数ホッピングオプションの情報とを、移動局装置２００に対して送信する。なお、このとき、基地局装置１００は、上記の仮想帯域幅部分に関する帯域幅等の設定情報も、必要に応じて移動局装置２００に対して送信する。
これを受けて移動局装置２００は、受信したリソース割り当て情報等に基づき、ステップｓ１２０７で、仮想帯域幅部分の帯域幅から、当該仮想帯域幅部分の表識別番号を設定する。そしてステップｓ１２０８で、移動局装置２００は、選択された各帯域幅部分に対して、仮想帯域幅部分と同じ表識別番号と帯域幅インデックスと帯域幅レベルとを設定する。そしてステップｓ１２０９で、移動局装置２００は、選択した帯域幅部分の帯域幅と帯域幅比を基に、選択した各帯域幅部分のＳＲＳ帯域幅を設定する。つまり、移動局装置２００は、選択した帯域幅部分の帯域幅と、基準帯域幅部分の帯域幅比とを基に、選択した帯域幅部分のＳＲＳ帯域幅を設定する。ここで、移動局装置２００は、上述した基地局装置１００側での各帯域幅部分のＳＲＳ帯域幅設定と同様の手順によって、各帯域幅部分のＳＲＳ帯域幅の設定を行なう。
そしてステップｓ１２１０で、移動局装置２００は、上記の情報を基に、選択した各帯域幅部分のＳＲＳを生成する。
そして、Ｌ１２０２で、移動局装置２００は、基地局装置１００に対してＳＲＳを送信する。
なお、本実施形態における周波数ホッピングについては、第１の実施形態で説明したものと同様である。
【０１７８】
＜第７の実施形態＞
次に、本発明の第７の実施形態について説明する。第７の実施形態における機器の機能構成は、第１の実施形態において示したものと同様であるので、ここではその説明を省略する。
【０１７９】
本実施形態では、最小の帯域幅を有する帯域幅部分を基準帯域幅部分として選択する。そして、基地局装置１００からは、基準帯域幅部分の帯域幅インデックスと、帯域幅レベルと、帯域幅比とを移動局装置に対して送信する。
【０１８０】
図２３は、第７の実施形態における処理の詳細手順を示したシーケンス図である。以下、この手順に沿って説明する。
【０１８１】
まずステップｓ１３０１で、基地局装置１００は、ＳＲＳを割り当て可能な帯域幅部分を選択する。次にステップｓ１３０２で、基地局装置１００は、上で選択した帯域幅部分の中から最小帯域幅を有する帯域幅部分を基準帯域幅部分として選択する。そして、ステップｓ１３０３で、基地局装置１００は、基準帯域幅部分に帯域幅インデックスを設定する。そして、ステップｓ１３０４で、基地局装置１００は、基準帯域幅部分に帯域幅レベルを設定する。そして、ステップｓ１３０５で、基地局装置１００は、基準帯域幅部分の帯域幅と、当該基準帯域幅部分におけるＳＲＳ帯域の幅との帯域幅比を求める。そして、ステップｓ１３０６で、基地局装置１００は、周波数ホッピングオプション１〜３のいずれかを選択する。
【０１８２】
そして、Ｌ１３０１で、基地局装置１００は、リソース割り当て情報（ここでは、基準帯域幅部分の帯域幅インデックスおよび帯域幅レベルと、上で求めた帯域幅比と、周波数ホッピング情報）を、移動局装置２００に対して送信する。
【０１８３】
これを受けて移動局装置２００は、受信したリソース割り当て情報等に基づき、ステップｓ１３０７で、選択した帯域幅部分の帯域幅から、それら各帯域幅部分の表識別番号をそれぞれ設定する。そして、ステップｓ１３０８で、移動局装置２００は、基準帯域幅部分以外の各帯域幅部分について、当該帯域幅部分の帯域幅と、受信した帯域幅比（基準帯域幅部分の帯域幅比）から当該帯域幅部分のＳＲＳ帯域幅を算出する。そして、ステップｓ１３０９で、移動局装置２００は、上で算出されたＳＲＳ帯域幅から、各帯域幅部分の帯域幅インデックスと帯域幅レベルとを設定する。そして、ステップｓ１３１０で、移動局装置２００は、上で設定した情報に基づき、選択した帯域幅部分のＳＲＳを生成する。
そして、Ｌ１３０２において、移動局装置２００は、基地局装置１００に対してＳＲＳを送信する。
なお、本実施形態における周波数ホッピングについては、第１の実施形態で説明したものと同様である。
【０１８４】
これを、具体例により説明する。基準帯域幅部分の帯域幅が２０リソースブロックであり（つまり、このときは表２が選択され、これに対応する表識別番号が決まる）、その基準帯域幅部分のＳＲＳ帯域の設定において、帯域幅レベルがｂ＝３であって帯域幅インデックスが０であるとき、対応する帯域幅コンフィグレーションパラメータ情報におけるＳＲＳ帯域幅（ｍＳＲＳ，ｂ）は４リソースブロックである。つまり、この基準帯域幅部分の全体の帯域幅に対するＳＲＳ帯域幅の比は「０．２」（＝２０分の４）である。このとき、基準帯域幅部分以外のある帯域幅部分の帯域幅が６０リソースブロックであった場合（つまり、この帯域幅部分に対応するＳＲＳ帯域幅コンフィグレーション表は表３である）、上記の帯域幅比（「０．２」）を用いて、この帯域幅部分のＳＲＳ帯域幅は１２（＝６０＊０．２）と算出される。そして、表３において、ＳＲＳ帯域幅（ｍＳＲＳ，ｂ）が１２であるエントリーは複数存在するため、それらのうち最も帯域幅レベルの大きいエントリーに対応するものとして、帯域幅レベルがｂ＝２に、帯域幅インデックスが０に設定される。
【０１８５】
なお、上述した実施形態における基地局装置と移動局装置の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８６】
なお、本発明は、シングルキャリア通信方式、マルチキャリア通信方式、シングルキャリア・マルチキャリア複合通信方式、サブキャリア通信方式など、いずれの通信方式に対しても適用可能である。また、ＤＦＴ−Ｓ−ＯＦＤＭのような集中配置および分散配置が可能なシングルキャリア方式に適用することが可能である。
【０１８７】
また、本発明は、複数の周波数帯域に対して適用可能である。ここで記載している複数の周波数帯域とは、シングルキャリア、すなわち１つの連続の周波数帯域を複数に分割した周波数帯域でもあり、不連続な周波数帯域を複数使用した周波数帯域でもある。
【０１８８】
また、本発明は、ユーザ（移動局装置）分割多重、コード分割多重（ＣＤＭ：Ｃｏｄｅ  Ｄｉｖｉｓｉｏｎ  Ｍｕｌｔｉｐｌｅｘｉｎｇ）、周波数分割多重（ＦＤＭ：Ｆｒｅｑｕｅｎｃｙ  Ｄｉｖｉｓｉｏｎ  Ｍｕｌｔｉｐｌｅｘｉｎｇ）、スペクトル分割多重等、現在、ＥＵＴＲＡおよびＡｄｖａｎｃｅｄ  ＥＵＴＲＡで提案されている多重方法が適用可能である。
【０１８９】
第３の実施形態では、基地局装置がカバーするセル内に、ＥＵＴＲＡ用の移動局装置が含まれている場合にも対応可能である。複数の帯域幅部分のうち、状況に応じて１個若しくは複数の帯域幅部分を、前記ＥＵＴＲＡ用の移動局装置に割り当てることができる。
【０１９０】
（具体例１）
例えば、周波数帯域Ａ０、Ａ１、Ａ２の３帯域を用いて、基地局装置に対してＳＲＳを送信する場合、Ａ１に対してコンフィグレーション情報が通知されると、他の周波数帯域Ａ０とＡ２対しても自動的にＡ１に通知されたＳＲＳコンフィグレーション情報と同じＳＲＳコンフィグレーション情報が通知される。
【０１９１】
（具体例２）
帯域幅部分毎にＳＲＳコンフィグレーション情報を設定すると、帯域幅部分の増大に伴い、ＳＲＳのために使用するシグナリング量が増幅する。また、コンフィグレーション情報の設定項目数の増加に比例して、シグナリング量の増大が想定される。例えば、帯域幅部分を２個用いてＳＲＳを送信する場合、設定項目数が５つであるならば、従来では帯域幅部分毎に設定項目を設定するため、移動局装置に送信する情報は、設定項目数５×２＝１０個と帯域幅部分の送信周波数情報２個と前記設定項目を繰り返し使用するという情報１個の合計１３個の情報を移動局装置へと送信しなければならない。本発明では、設定項目数の情報を各帯域幅部分間で使い回すことで設定項目数５個と帯域幅部分の送信周波数情報２個の合計７個の情報を移動局装置へと送信すれば良いので、シグナリング量の削減が可能であると思われる。もし、帯域幅部分が３個の場合は、従来技術では５×３（設定項目数）＋３（帯域幅部分の送信周波数情報数）＝１８個の情報を送信するのに対して、本発明では５（設定項目数）＋３（帯域幅部分の送信周波数情報数）＋１×２（パラメータを使い回すのは選択した帯域幅部分以外であるため、帯域幅部分の総数−１）＝１０個の情報を送信すれば良いだけであるため、ＳＲＳを割り当てる帯域幅部分の個数の増大に伴い、より少ないシグナリング量でＳＲＳを割り当てることが可能である。
【０１９２】
なお、上述した実施形態において、基地局装置の構成および動作を説明したが、基地局装置の代わりに、同様の構成および機能を含む中継局装置を用いるようにしても良い。
【０１９３】
また、上述の実施形態では基地局装置と移動局装置を含んで構成される移動通信システムについて説明したが、本発明を固定無線通信システムに適用することも可能である。この場合、上述の基地局装置と同様の機能を有する固定無線装置と、上述の移動局装置と同様の機能を有する固定無線装置とにより、システムを構成する。
【０１９４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１９５】
１００  基地局装置（第１通信装置）
１０１  データ制御部
１０２  変調符号化部
１０３  マッピング部
１０４  周波数ホッピング部
１０５  逆高速フーリエ変換（ＩＦＦＴ）部
１０６  無線送信部
１０７  無線受信部
１０８  高速フーリエ変換（ＦＦＴ）部
１０９  復調復号化部
１１０  データ抽出部
１１１  アンテナ
１１２  マッピング制御部
１１３  周波数ホッピング制御部
１１４  送信周波数制御部
１２０  送信情報制御部
１３０  送信部（割り当て情報送信部、第１送信部）
１４０  受信部（参照信号受信部、第１受信部）
１６０  帯域幅コンフィグレーション表記憶部
２００  移動局装置（第２通信装置）
２０１  データ制御部
２０２  変調符号化部
２０３  マッピング部
２０４  周波数ホッピング部
２０５  逆高速フーリエ変換（ＩＦＦＴ）部
２０６  無線送信部
２０７  無線受信部
２０８  高速フーリエ変換（ＦＦＴ）部
２０９  復調復号化部
２１０  データ抽出部
２１１  アンテナ
２１２  受信品質情報生成部
２１３  受信品質測定部
２１４  参照信号生成部
２１５  参照信号多重化部
２２０  受信品質情報制御部
２３０  参照信号制御部
２４０  送信部（参照信号送信部、第２送信部）
２５０  受信部（割り当て情報受信部、第２受信部）
２６０  帯域幅コンフィグレーション表記憶部
【図１】
2010178129.tif 000008
【図２】
2010178129.tif 000009
【図３】
2010178129.tif 000010
【図４】
2010178129.tif 000011
【図５】
2010178129.tif 000012
【図６】
2010178129.tif 000013
【図７】
2010178129.tif 000014
【図８】
2010178129.tif 000015
【図９】
2010178129.tif 000016
【図１０】
2010178129.tif 000017
【図１１】
2010178129.tif 000018
【図１２】
2010178129.tif 000019
【図１３】
2010178129.tif 000020
【図１４】
2010178129.tif 000021
【図１５】
2010178129.tif 000022
【図１６】
2010178129.tif 000023
【図１７】
2010178129.tif 000024
【図１８】
2010178129.tif 000025
【図１９】
2010178129.tif 000026
【図２０】
2010178129.tif 000027
【図２１】
2010178129.tif 000028
【図２２】
2010178129.tif 000029
【図２３】
2010178129.tif 000030